(57)【要約】      （修正有）【課題】マルチキャリアワイヤレス通信システムにおいて不連続受信を可能にするシステム、方法、および装置を提供する。【解決手段】第１の方法の一例は、１つまたは複数の非アクティビティ期間にそれぞれ対応する１つまたは複数の不連続受信サイクルを与えることを含むことができる。１つまたは複数の不連続受信サイクルの該当アウェイク期間中、１つまたは複数の周波数キャリアの各々上のデータが受信され得る。データが受信される１つまたは複数の周波数キャリアの数およびタイプは、１つまたは複数の非アクティビティ期間に基づいて判断され得る。さらに、いくつかの実施形態では、選択された周波数キャリア上での不連続受信を与えることに加えて、アンカーキャリアなどの他の周波数キャリア上での連続受信に従ってデータが受信され得る。【選択図】図１
2014131303.tif 000002
【特許請求の範囲】
【請求項１】
装置であって、
前記装置の１つまたは複数の非アクティビティ期間と、
前記装置がデータを監視し受信するように構成される１つまたは複数のセットの周波数キャリアと、
を示す複数のパラメータに少なくとも基づいて不連続受信を実行する制御ユニットを備える装置。
【請求項２】
前記制御ユニットは、
前記１つまたは複数の非アクティビティ期間のうちの第１の非アクティビティ期間の後に、前記１つまたは複数のセットの周波数キャリアのうちの第１のセットを監視することに対応する第１の状態で動作し、
前記１つまたは複数の非アクティビティ期間のうちの第２の非アクティビティ期間の後に、前記１つまたは複数のセットの周波数キャリアのうちの第２のセットを監視することに対応する第２の状態で動作するものでもある、請求項１に記載の装置。
【請求項３】
前記制御ユニットは、前記装置のアンカーキャリアに対応する周波数キャリア上で連続受信を実行するものでもある、請求項１に記載の装置。
【請求項４】
前記制御ユニットに通信可能に結合されたネットワーク制御ユニットで生成された不連続受信構成情報を受信する通信ユニットをさらに備える、請求項１に記載の装置。
【請求項５】
前記装置の１つまたは複数の非アクティビティ期間と、
前記装置がデータを監視し受信するように構成される１つまたは複数のセットの周波数キャリアと、
を示す複数のパラメータに少なくとも基づいて不連続受信を実行する手段を備える装置。
【請求項６】
不連続受信を実行する前記手段は、
前記１つまたは複数の非アクティビティ期間のうちの第１の非アクティビティ期間の後に、前記１つまたは複数のセットの周波数キャリアのうちの第１のセットを監視することに対応する第１の状態で動作し、
前記１つまたは複数の非アクティビティ期間のうちの第２の非アクティビティ期間の後に、前記１つまたは複数のセットの周波数キャリアのうちの第２のセットを監視することに対応する第２の状態で動作するものでもある、請求項５に記載の装置。
【請求項７】
不連続受信を実行する前記手段は、
前記装置のアンカーキャリアに対応する周波数キャリア上で連続受信を実行するものでもある、請求項５に記載の装置。
【請求項８】
不連続受信を実行する前記手段に通信可能に結合された不連続受信を制御する手段で生成された不連続受信構成情報を受信する、通信のための手段をさらに備える、請求項５に記載の装置。
【請求項９】
選択された１つまたは複数の周波数キャリアと、マルチキャリア受信機の選択された非アクティビティ期間とを示す複数のパラメータを含む不連続受信構成情報に基づいて、前記マルチキャリア受信機の前記選択された非アクティビティ期間の後に、前記選択された１つまたは複数の周波数キャリア上のデータを同時に受信するマルチキャリア受信機を備える装置。
【請求項１０】
選択された１つまたは複数の周波数キャリア上のデータを同時に受信する手段を備え、
受信はデータを同時に受信する前記手段の選択された非アクティビティ期間の後であって、前記選択された１つまたは複数の周波数キャリアと、データを同時に受信する前記手段の前記選択された非アクティビティ期間とを示す複数のパラメータを含む不連続受信構成情報に基づくものである装置。
【請求項１１】
複数の時間ベースおよび周波数ベースパラメータを含む不連続受信構成情報に従って不連続受信を実行する制御ユニットを備える装置。
【請求項１２】
複数の時間ベースおよび周波数ベースパラメータを含む不連続受信構成情報に従って不連続受信を実行する手段を備える装置。
【請求項１３】
不連続受信を容易にする方法であって、
１つまたは複数の非アクティビティ期間にそれぞれ対応する１つまたは複数の不連続受信サイクルを与えるための複数のコンピュータ実行可能命令を実行するプロセッサを使用することを備え、１つまたは複数の不連続受信サイクルの該当アウェイク期間中、データが１つまたは複数の周波数キャリアの各々上で受信される方法。
【請求項１４】
前記１つまたは複数の不連続受信サイクルは第１の不連続受信サイクルおよび第２の不連続受信サイクルを備え、前記１つまたは複数の非アクティビティ期間は前記第１の不連続受信サイクルおよび前記第２の不連続受信サイクルにそれぞれ対応する第１の非アクティビティ期間および第２の非アクティビティ期間を備え、前記第１の非アクティビティ期間は前記第２の非アクティビティ期間よりも短い、請求項１３に記載の方法。
【請求項１５】
前記１つまたは複数の不連続受信サイクルは第１の不連続受信サイクルを備え、前記第１の不連続受信サイクルのアウェイク期間中、１つまたは複数の周波数キャリアの各々が監視される、請求項１３に記載の方法。
【請求項１６】
前記１つまたは複数の非アクティビティ期間のうちの第１の非アクティビティ期間が１つまたは複数の周波数キャリアに該当するもののうちの第１の周波数キャリアに関連し、前記１つまたは複数の非アクティビティ期間のうちの第２の非アクティビティ期間は１つまたは複数の周波数キャリアに該当するもののうちの第２の周波数キャリアに関連し、
前記１つまたは複数の非アクティビティ期間のうちの前記第１の非アクティビティ期間は前記１つまたは複数の非アクティビティ期間のうちの第２の非アクティビティ期間の倍数であり、
前記１つまたは複数の非アクティビティ期間のうちの前記第１の非アクティビティ期間、および前記１つまたは複数の非アクティビティ期間の前記第２の非アクティビティ期間は、１つまたは複数の周波数キャリアに該当するもののうちの前記第１の周波数キャリア上の該当データフロー量、および前記１つまたは複数の周波数キャリアに該当するもののうちの前記第２の周波数キャリア上の該当データフロー量に基づいて増加または減少する、請求項１３に記載の方法。
【請求項１７】
第１の不連続受信サイクルのアウェイク期間中、１つまたは複数の周波数キャリアの各々が監視され、第２の不連続受信サイクルの前記アウェイク期間中、ただ１つの周波数キャリアが監視される、請求項１３に記載の方法。
【請求項１８】
前記１つまたは複数の非アクティビティ期間のうちの第１の非アクティビティ期間は前記１つまたは複数の非アクティビティ期間のうちの第２の非アクティビティ期間の倍数である、請求項１３に記載の方法。
【請求項１９】
１つまたは複数の周波数キャリアに該当するもののは非アンカーキャリアである、請求項１３に記載の方法。
【請求項２０】
複数の周波数キャリアのうちの１つ上での連続受信を提供するためにプロセッサを使用することをさらに備え、前記複数の周波数キャリアのうちの前記１つはアンカーキャリアに対応する、請求項１３に記載の方法。
【請求項２１】
１つまたは複数の非アクティビティ期間にそれぞれ対応する１つまたは複数の不連続受信サイクルを与え、前記１つまたは複数の不連続受信サイクルの該当アウェイク期間中、１つまたは複数の周波数キャリアに該当するものがデータ受信のために監視されるようにするコードを備えるコンピュータ可読媒体を備えるコンピュータプログラム製品。
【請求項２２】
前記１つまたは複数の不連続受信サイクルは第１の不連続受信サイクルおよび第２の不連続受信サイクルを備え、前記１つまたは複数の非アクティビティ期間は前記第１の非アクティビティ期間および第２の非アクティビティ期間を備え、前記第１の非アクティビティ期間は前記第２の非アクティビティ期間よりも短い、請求項２１に記載のコンピュータプログラム製品。
【請求項２３】
前記１つまたは複数の不連続受信サイクルは第１の不連続受信サイクルを備え、前記第１の不連続受信サイクルのアウェイク期間中、１つまたは複数の周波数キャリアの各々が監視される、請求項２１に記載のコンピュータプログラム製品。
【請求項２４】
前記１つまたは複数の非アクティビティ期間のうちの第１の非アクティビティ期間が前記複数の周波数キャリアに該当するもののうちの第１の周波数キャリアに関連し、前記１つまたは複数の非アクティビティ期間のうちの第２の非アクティビティ期間は前記複数の周波数キャリアに該当するもののうちの第２の周波数キャリアに関連し、
前記１つまたは複数の非アクティビティ期間のうちの前記第１の非アクティビティ期間は前記１つまたは複数の非アクティビティ期間のうちの第２の非アクティビティ期間の倍数であり、
前記１つまたは複数の非アクティビティ期間のうちの前記第１の非アクティビティ期間、および前記１つまたは複数の非アクティビティ期間の前記第２の非アクティビティ期間の各々は、１つまたは複数の周波数キャリアに該当するもののうちの前記第１の周波数キャリア上の該当データフロー量、および１つまたは複数の周波数キャリアに該当するもののうちの前記第２の周波数キャリア上の該当データフロー量に基づいて増加または減少する、請求項２１に記載のコンピュータプログラム製品。
【請求項２５】
第１の不連続受信サイクルのアウェイク期間中、１つまたは複数の周波数キャリアの各々が監視され、第２の不連続受信サイクルの前記アウェイク期間中、ただ１つの周波数キャリアが監視される、請求項２１に記載のコンピュータプログラム製品。
【請求項２６】
前記１つまたは複数の非アクティビティ期間のうちの第１の非アクティビティ期間は前記１つまたは複数の非アクティビティ期間のうちの第２の非アクティビティ期間の倍数である、請求項２１に記載のコンピュータプログラム製品。
【請求項２７】
１つまたは複数の周波数キャリアに該当するものは非アンカーキャリアである、請求項２１に記載のコンピュータプログラム製品。
【請求項２８】
複数の周波数キャリアのうちの１つ上での連続受信を提供するためのコードをさらに備え、前記複数の周波数キャリアのうちの前記１つはアンカーキャリアに対応する、請求項２１に記載のコンピュータプログラム製品。
【請求項２９】
不連続受信を容易にする方法であって、
第１の非アクティビティ期間に応答して、第１の不連続受信サイクルが与えられ、マルチキャリアワイヤレスシステムの複数の周波数キャリアのうちの第１の１つまたは複数の周波数キャリアが、前記第１の不連続受信サイクルのアウェイク期間中、データを受信するために監視される、第１の状態で動作することと、
第２の非アクティビティ期間に応答して、第２の不連続受信サイクルが与えられ、前記マルチキャリアワイヤレスシステムの前記複数の周波数キャリアのうちの第２の１つまたは複数の周波数キャリアが、前記第２の不連続受信サイクルのアウェイク期間中、データを受信するために監視される、第２の状態で動作することと、
第３の非アクティビティ期間に応答して、第３の不連続受信サイクルが与えられ、前記マルチキャリアワイヤレスシステムの前記複数の周波数キャリアのうちの第３の１つまたは複数の周波数キャリアが、前記第３の不連続受信サイクルのアウェイク期間中、データを受信するために監視される、第３の状態で動作することと、
を備える方法。
【請求項３０】
前記第１の非アクティビティ期間は前記第２の非アクティビティ期間よりも短く、前記第２の非アクティビティ期間は前記第３の非アクティビティ期間よりも短い、請求項２９に記載の方法。
【請求項３１】
前記第１の不連続受信サイクルは前記第２の不連続受信サイクルよりも短く、前記第２の不連続受信サイクルは前記第３の不連続受信サイクルよりも短い、請求項３０に記載の方法。
【請求項３２】
第１の非アクティビティ期間に応答して、第１の不連続受信サイクルが与えられ、マルチキャリアワイヤレスシステムの複数の周波数キャリアのうちの第１の１つまたは複数の周波数キャリアが、前記第１の不連続受信サイクルのアウェイク期間中、データを受信するために監視される、第１の状態で動作するためのコードと、
第２の非アクティビティ期間に応答して、第２の不連続受信サイクルが与えられ、前記マルチキャリアワイヤレスシステムの前記複数の周波数キャリアのうちの第２の１つまたは複数の周波数キャリアが、前記第２の不連続受信サイクルのアウェイク期間中、データを受信するために監視される、第２の状態で動作するためのコードと、
第３の非アクティビティ期間に応答して、第３の不連続受信サイクルが与えられ、前記マルチキャリアワイヤレスシステムの前記複数の周波数キャリアのうちの第３の１つまたは複数の周波数キャリアが、前記第３の不連続受信サイクルのアウェイク期間中、データを受信するために監視される、第３の状態で動作するためのコードと、
を備えるコンピュータ可読媒体を備えるコンピュータプログラム製品。
【請求項３３】
前記第１の非アクティビティ期間は前記第２の非アクティビティ期間よりも短く、前記第２の非アクティビティ期間は前記第３の非アクティビティ期間よりも短い、請求項３２に記載のコンピュータプログラム製品。
【請求項３４】
前記第１の不連続受信サイクルは前記第２の不連続受信サイクルよりも短く、前記第２の不連続受信サイクルは前記第３の不連続受信サイクルよりも短い、請求項３３のコンピュータプログラム製品。
【請求項３５】
１つまたは複数の周波数キャリア上のデータを受信し、不連続受信構成情報を受信する通信ユニットと、
前記データを受信するための１つまたは複数の周波数キャリアを選択する周波数キャリア選択ユニットと、
装置のアウェイク期間およびスリープ期間を制御するアウェイクスリープ期間制御ユニットと、
前記装置の非アクティビティ期間を評価する非アクティビティ期間評価ユニットと、
受信された不連続受信構成情報を記憶するメモリとを備えて、前記１つまたは複数の周波数キャリアが選択され、前記非アクティビティ期間が受信された不連続受信構成情報に基づいて評価される、不連続受信制御ユニットを備える装置。
【請求項３６】
前記不連続受信構成情報は、非アクティビティ期間と、前記通信ユニットで前記データを受信するための対応する１つまたは複数の周波数キャリアとを示す情報を含む、請求項３５に記載の装置。
【請求項３７】
前記通信ユニットは、前記データおよび前記不連続受信構成情報を受信するために基地局に通信可能に結合されたユーザ機器である、請求項３５に記載の装置。
【請求項３８】
不連続受信を実行する手段を備える装置であって、
前記不連続受信を実行する手段は、
１つまたは複数の周波数キャリア上のデータを受信し不連続続受信構成情報を受信するためのものである、コンテンツを受信する手段と、
前記データを受信するための１つまたは複数の周波数キャリアを選択する手段と、
前記装置のアウェイク期間およびスリープ期間を制御する手段と、
前記装置の非アクティビティ期間を評価する手段と、
受信された不連続受信構成情報を記憶する手段とを備え、前記１つまたは複数の周波数キャリアが選択され、前記非アクティビティ期間が受信された不連続受信構成情報に基づいて評価される、装置。
【請求項３９】
前記不連続受信構成情報は、非アクティビティ期間と、コンテンツを受信する前記手段で前記データを受信するための対応する１つまたは複数の周波数キャリアとを示す情報を含む、請求項３８に記載の装置。
【請求項４０】
コンテンツを受信する前記手段は、前記データを受信し前記不連続受信構成情報を受信するために基地局に通信可能に結合されたユーザ機器である、請求項３８に記載の装置。
【請求項４１】
複数の時間および周波数パラメータに基づいて複数の不連続受信レベルのうちの少なくとも１つに対応する不連続受信制御情報を生成し、生成された不連続受信制御情報を出力するように構成される制御ユニットと、
データのマルチキャリア受信を実行可能なユーザ機器とを備え、
前記ユーザ機器は前記制御ユニットに通信可能に結合され、出力された不連続受信制御情報を受信し、前記ユーザ機器が前記複数の不連続受信レベルのうちの１つに従ってマルチキャリア受信を実行するように構成される１つまたは複数の周波数キャリア上で不連続受信を実行するように構成される、システム。
【請求項４２】
前記制御ユニットが基地局である、請求項４１に記載のシステム。
【請求項４３】
前記ユーザ機器は、前記ユーザ機器が不連続受信を実行する時間間隔中に、選択された周波数キャリア上で連続受信を実行するようにさらに構成される、請求項４１に記載のシステム。
【請求項４４】
前記選択された周波数キャリアはアンカーキャリアである、請求項４３に記載のシステム。
【請求項４５】
複数の時間および周波数パラメータに基づいて複数の不連続受信レベルに対応する不連続受信制御情報を生成する手段と、
生成された不連続受信制御情報を出力する手段と、
データのマルチキャリア受信を実行可能な通信する手段とを備え、
通信する前記手段は、不連続受信制御情報を生成する前記手段に通信可能に結合され、出力された不連続受信制御情報を受信し、通信する前記手段が前記複数の不連続受信レベルのうちの１つに従ってマルチキャリア受信を実行するように構成される１つまたは複数の周波数キャリア上で不連続受信を実行するように構成される、システム。
【請求項４６】
不連続受信制御情報を生成する前記手段は基地局である、請求項４５に記載のシステム。
【請求項４７】
通信する前記手段は、通信する前記手段が不連続受信を実行する時間間隔中に、選択された周波数キャリア上で連続受信を実行するようにさらに構成される、請求項４５に記載のシステム。
【請求項４８】
前記選択された周波数キャリアはアンカーキャリアである、請求項４７に記載のシステム。
【請求項４９】
第１の装置で、複数の時間および周波数パラメータに基づいて複数の不連続受信レベルのうちの少なくとも１つに対応する不連続受信制御情報を生成することと、
生成された不連続受信制御情報を出力することと、
データのマルチキャリア受信を実行可能な第２の装置で、出力された不連続受信制御情報を受信することと、
前記第２の装置が前記複数の不連続受信レベルのうちの１つに従ってマルチキャリア受信を実行するように構成される１つまたは複数の周波数キャリア上で不連続受信を実行することとを備える方法。
【発明の詳細な説明】
【技術分野】
【０００１】
関連出願の相互参照
本願は、２００９年５月４日に出願され、その全体の内容が参照により本明細書に組み込まれる、「Systems and Methods for Discontinuous Reception in Multicarrier Wireless Communication Systems」と題する米国仮特許出願第６１／１７５，４００号の利益を主張する。
【０００２】
以下の記述は、一般に、ワイヤレス通信に関し、詳細には、マルチキャリアワイヤレス通信システムにおいて不連続受信を容易にすることに関する。
【背景技術】
【０００３】
ワイヤレス通信システムは、様々なタイプの通信を提供するために広く採用されている。例えば、ボイスおよび／またはデータはこうしたワイヤレス通信システムを介して提供され得る。典型的ワイヤレス通信システムやネットワークは、１つまたは複数の共有リソース（例えば、帯域幅、送信電力）への複数のユーザアクセスを提供できる。例えば、システムは、周波数分割多重（ＦＤＭ）、時分割多重（ＴＤＭ）、符号分割多重（ＣＤＭ）、直交周波数分割多重（ＯＦＤＭ）などの様々な多元接続技術を使用できる。
【０００４】
一般に、ワイヤレス多元接続通信システムは、複数のユーザ機器（ＵＥ）のための通信を同時にサポートできる。各ＵＥは、順方向リンクおよび逆方向リンク上での伝送によって１つまたは複数の基地局（ＢＳ）と通信できる。順方向リンク（またはダウンリンク（ＤＬ））はＢＳからＵＥへの通信リンクを指し、逆方向リンク（またはアップリンク（ＵＬ））はＵＥからＢＳへの通信リンクを指す。この通信リンクは、単一入力単一出力、多入力単一出力、または多入力多出力（ＭＩＭＯ）システムで確立され得る。
【０００５】
ＭＩＭＯシステムは、共通に、データ伝送のための複数（ＮT）個の送信アンテナおよび複数（ＮR）個の受信アンテナを採用する。ＮT個の送信アンテナおよびＮR個の受信アンテナによって形成されるＭＩＭＯチャネルは、空間チャネルと呼ばれ得るＮS個の独立チャネルに分解できる、但し、ＮS≦｛ＮT，ＮR｝。ＮS個の独立チャネルの各々は１つの次元に対応する。さらに、複数の送信アンテナおよび受信アンテナによって生成された追加の次元数が利用された場合、ＭＩＭＯシステムは改善されたパフォーマンス（例えば、増加したスペクトル効率、より高いスループット、および／またはより大きい信頼性）を提供できる。
【０００６】
ＭＩＭＯシステムは、共通の物理媒体を介した順方向リンク通信および逆方向リンク通信を分割する様々なデュプレックス技術をサポートできる。例えば、周波数分割デュプレックス（ＦＤＤ）システムは順方向リンク通信および逆方向リンク通信に対して異なる周波数領域を利用できる。さらに、時分割デュプレックス（ＴＤＤ）システムでは、順方向リンク通信および逆方向リンク通信が共通の周波数領域を採用できるので、相反原理が逆方向リンクチャネルから順方向リンクチャネルを推定することを可能にする。
【０００７】
ワイヤレス通信システムは、カバレージエリアを提供するために１つまたは複数のＢＳをしばしば採用する。典型的なＢＳはブロードキャスト、マルチキャストおよび／またはユニキャストサービスのための複数のデータストリームを送信でき、データストリームはＵＥの独立した受信対象であり得るデータのストリームであってよい。こうしたＢＳのカバレージエリア内のＵＥは複合ストリームによって搬送される１つ、１つより多く、またはすべてのデータストリームを受信するために採用され得る。同様に、ＵＥはデータをＢＳまたは別のＵＥに送信できる。
【発明の概要】
【０００８】
以下は、１つまたは複数の実施形態の簡略化された概要を提示してこうした実施形態の基本的な理解を提供するものである。この概要は、すべての予期される実施形態の包括的な概観ではなく、すべての実施形態の主要または重要な要素を識別したり、いずれかまたはすべての実施形態の範囲を定めたりすることを意図しない。その唯一の目的は、後で提示するより詳細な説明への導入として、１つまたは複数の実施形態のいくつかの概念を簡略化された形式で提示することである。
【０００９】
１つまたは複数の実施形態およびその対応する開示によって、様々な態様がマルチキャリアワイヤレス通信システムにおいて不連続受信（ＤＲＸ）を容易にすることに関連して説明される。
【００１０】
関係する態様によれば、１つの装置が提供される。この装置は、この装置の１つまたは複数の非アクティビティ期間、並びにこの装置がデータを監視し受信するように構成される１つまたは複数セットの周波数キャリアを示す複数のパラメータに少なくとも基づいてＤＲＸを実行する制御ユニットを含むことができる。
【００１１】
他の関係する態様によれば、別の１つの装置が提供される。この装置は、この装置の１つまたは複数の非アクティビティ期間、並びにこの装置がデータを監視し受信するように構成される１つまたは複数のセットの周波数キャリアを示す複数のパラメータに少なくとも基づいてＤＲＸを実行する手段を含むことができる。
【００１２】
さらに、他の関係する態様によれば、別の１つの装置が提供される。この装置はマルチキャリア受信機を含むことができる。マルチキャリア受信機は選択された１つまたは複数の周波数キャリア上のデータを、このマルチキャリア受信機の選択された非アクティビティ期間後に同時に受信するものであり得る。この受信は、この選択された１つまたは複数の周波数キャリアを示しかつこのマルチキャリア受信機の選択された非アクティビティ期間を示す複数のパラメータを含むＤＲＸ構成情報に基づくことができる。
【００１３】
さらに、他の関係する態様によれば、別の１つの装置が提供される。この装置はデータを同時に受信する手段を含むことができる。データを同時に受信する手段は、選択された１つまたは複数の周波数キャリア上のデータを、同時にデータを受信する手段の選択された非アクティビティ期間後に同時に受信するものであり得る。この受信は、選択された１つまたは複数の周波数キャリアを示しかつデータを同時に受信する手段の選択された非アクティビティ期間を示す複数のパラメータを含むＤＲＸ構成情報に基づくことができる。
【００１４】
他の関係する態様によれば、別の１つの装置が提供される。この装置は、複数の時間ベースおよび周波数ベースパラメータを含むＤＲＸ構成情報に従ってＤＲＸを実行する制御ユニットを含むことができる。
【００１５】
さらに、他の関係する態様によれば、さらに別の１つの装置が提供される。この装置は、複数の時間ベースおよび周波数ベースパラメータを含むＤＲＸ構成情報に従ってＤＲＸを実行する手段を含むことができる。
【００１６】
別の態様によれば、ＤＲＸを容易にする方法が提供される。この方法は、１つまたは複数の非アクティビティ期間にそれぞれ対応する１つまたは複数のＤＲＸサイクルを提供するためにコンピュータ実行可能な複数の命令を実行するプロセッサを使用することを含むことができる。１つまたは複数のＤＲＸサイクルの該当アウェイク期間中に、データが該当する１つまたは複数の周波数キャリア上で受信され得る。
【００１７】
別の態様によれば、１つのコンピュータプログラム製品が提供される。このコンピュータプログラム製品はコンピュータ可読媒体を含むことができる。このコンピュータ可読媒体はコードを含むことができる。このコードは、１つまたは複数の非アクティビティ期間にそれぞれ対応する１つまたは複数のＤＲＸサイクルを提供するものであり得る。１つまたは複数のＤＲＸサイクルの該当アウェイク期間中に、該当する１つまたは複数の周波数キャリアがデータ受信のために監視され得る。
【００１８】
さらに、別の態様によれば、ＤＲＸを容易にする１つの方法が提供され得る。この方法は第１の非アクティビティ期間に応答し、第１のＤＲＸサイクルが与えられてマルチキャリアワイヤレスシステムの複数の周波数キャリアのうちの第１の１つまたは複数の周波数キャリアがこの第１のＤＲＸサイクルのアウェイク期間中データを受信するために監視される第１の状態で動作することを含むことができる。また、この方法は第２の非アクティビティ期間に応答し、第２のＤＲＸサイクルが与えられマルチキャリアワイヤレスシステムの複数の周波数キャリアのうちの第２の１つまたは複数の周波数キャリアがこの第２のＤＲＸサイクルのアウェイク期間中データを受信するために監視される第２の状態で動作することを含むことができる。また、この方法は第３の非アクティビティ期間に応答し、第３のＤＲＸサイクルが与えられマルチキャリアワイヤレスシステムの複数の周波数キャリアのうちの第３の１つまたは複数の周波数キャリアがこの第３のＤＲＸサイクルのアウェイク期間中データを受信するために監視される第３の状態で動作することを含むことができる。
【００１９】
さらに別の態様によれば、別の１つのコンピュータプログラム製品が提供される。このコンピュータプログラム製品はコンピュータ可読媒体を含むことができる。このコンピュータ可読媒体は第１の非アクティビティ期間に応答して第１の状態で動作するためのコードを含むことができる。第１のＤＲＸサイクルが与えられることができ、マルチキャリアワイヤレスシステムの複数の周波数キャリアのうちの第１の１つまたは複数の周波数キャリアがこの第１のＤＲＸサイクルのアウェイク期間中データを受信するために監視されることができる。また、このコンピュータ可読媒体は、第２の非アクティビティ期間に応答して第２の状態で動作するためのコードを含むことができる。第２のＤＲＸサイクルが与えられることができ、マルチキャリアワイヤレスシステムの複数の周波数キャリアのうちの第２の１つまたは複数の周波数キャリアがこの第２のＤＲＸサイクルのアウェイク期間中データを受信するために監視されることができる。また、コンピュータ可読媒体は、第３の非アクティビティ期間に応答して第３の状態で動作するためのコードを含むことができる。第３のＤＲＸサイクルが与えられることができ、マルチキャリアワイヤレスシステムの複数の周波数キャリアのうちの第３の１つまたは複数の周波数キャリアがこの第３のＤＲＸサイクルのアウェイク期間中データを受信するために監視されることができ。
【００２０】
さらに、別の態様によれば、１つの装置が提供される。この装置はＤＲＸ制御ユニットを含むことができる。また、このＤＲＸ制御ユニットは、１つまたは複数の周波数キャリア上のデータを受信すると共にＤＲＸ構成情報を受信する通信ユニットと、データを受信するための１つまたは複数の周波数キャリアを選択する周波数キャリア選択ユニットとを含むことができる。また、ＤＲＸ制御ユニットはこの装置のアウェイク期間およびスリープ期間を制御するアウェイクスリープ期間制御ユニットと、この装置の非アクティビティ期間を評価する非アクティビティ期間評価ユニットとを含むことができる。また、ＤＲＸ制御ユニットは受信されたＤＲＸ構成情報を記憶するメモリを含むことができる。１つまたは複数の周波数キャリアが選択されることができ、非アクティビティ期間が受信されたＤＲＸ構成情報に基づいて評価されることができる。
【００２１】
さらに、さらに別の態様によれば、別の１つの装置が提供される。この装置は、ＤＲＸを実行する手段を含むことができる。ＤＲＸを実行する手段はコンテンツを受信する手段を含むことができる。コンテンツを受信する手段は、１つまたは複数の周波数キャリア上のデータを受信すると共にＤＲＸ構成情報を受信するためののものであり得る。また、ＤＲＸを実行する手段はデータを受信するための１つまたは複数の周波数キャリアを選択する手段と、この装置のアウェイク期間およびスリープ期間を制御する手段と、この装置の非アクティビティ期間を評価する手段とを含むことができる。ＤＲＸを実行する手段は、受信されたＤＲＸ構成情報を記憶する手段を含むことができる。１つまたは複数の周波数キャリアが選択されることができ、非アクティビティ期間が受信されたＤＲＸ構成情報に基づいて評価されることができる。
【００２２】
さらに、さらに別の態様によれば、１つのシステムが提供される。このシステムは、複数の時間および周波数パラメータに基づいてＤＲＸ制御情報を生成するように構成される制御ユニットを含むことができる。生成されたＤＲＸ制御情報は複数のＤＲＸレベルのうちの１つに対応し得る。制御ユニットは生成されたＤＲＸ制御情報を出力するように構成されることもできる。このシステムはデータのマルチキャリア受信を実行することが可能なＵＥを含むこともできる。ＵＥは、制御ユニットに通信可能に結合され、出力されたＤＲＸ制御情報を受信し、ＤＲＸを実行するように構成されることができる。ＤＲＸは、ＵＥが複数のＤＲＸレベルのうちの１つに従ってマルチキャリア受信を実行するように構成される１つまたは複数の周波数キャリア上で実行され得る。
【００２３】
さらに、別の態様によれば、別の１つのシステムが提供される。このシステムは、複数の時間および周波数パラメータに基づいてＤＲＸ制御情報を生成する手段を含むことができる。生成されたＤＲＸ制御情報は複数のＤＲＸレベルに対応し得る。このシステムは生成されたＤＲＸ制御情報を出力する手段と、通信する手段とを含むこともできる。通信する手段はデータのマルチキャリア受信を実行可能であってよく、通信する手段はＤＲＸ制御情報を生成する手段に通信可能に結合されることができる。通信する手段は、出力されたＤＲＸ制御情報を受信し、ＤＲＸを実行するように構成されることができる。ＤＲＸは、通信する手段が複数のＤＲＸレベルのうちの１つに従ってマルチキャリア受信を実行するように構成される１つまたは複数の周波数キャリア上で実行され得る。
【００２４】
さらに、別の態様によれば、１つの方法が提供される。この方法は、複数のＤＲＸレベルに対応するＤＲＸ制御情報を第１の装置で複数の時間および周波数パラメータに基づいて生成することと、生成されたＤＲＸ制御情報を出力することとを含むことができる。この方法は、出力されたＤＲＸ制御情報をデータのマルチキャリア受信を実行可能な第２の装置で受信することと、第２の装置が複数のＤＲＸレベルのうちの１つに従ってマルチキャリア受信を実行するように構成される１つまたは複数の周波数キャリア上でＤＲＸを実行することとを含むこともできる。
【００２５】
最後に、他の態様によれば、１つのシステムが提供される。このシステムはＵＥに含むことができる。このＵＥはＤＲＸ制御ユニットを含むことができる。このＤＲＸ制御ユニットは、ＵＥで実行されているかまたはＵＥで実行されるべきＤＲＸ動作を生成するために、対応するアウェイク期間および複数のスリープ期間を判断するアウェイクスリープ期間制御ユニットを含むことができる。ＤＲＸ制御ユニットは、ＵＥで経験される非アクティビティ期間の長さを監視し判断する非アクティビティ期間評価ユニットと、ＵＥのＤＲＸ動作に従ってデータを監視し受信し続けるための１つまたは複数の周波数キャリアのうちの１つまたは複数をＵＥに選択させる周波数キャリア選択ユニットとを含むことができる。このＵＥは受信されたＤＲＸ構成情報を記憶するメモリを含むこともでき、１つまたは複数の周波数キャリアが選択され、非アクティビティ期間が受信されたＤＲＸ構成情報に基づいて評価される。このＵＥは、１つまたは複数の周波数キャリア上のデータを受信すると共にＵＥでのＤＲＸ動作を示すＤＲＸ構成情報を受信する第１の通信ユニットを含むこともできる。このシステムはＤＲＸ構成情報を送信する第２の通信ユニットを含むＤＲＸ制御ユニットを含むこともできる。このＤＲＸ制御ユニットはＤＲＸが実行される１つまたは複数の周波数キャリア、あるいは１つまたは複数の周波数キャリアに対応する１つまたは複数の非アクティビティ期間を判断する非アクティビティ期間およびキャリア周波数トラフィック評価ユニットを含むこともできる。このＤＲＸ制御ユニットは、ＵＥがＤＲＸを実行する判断された１つまたは複数の周波数キャリア、あるいは１つまたは複数の周波数キャリアの判断がそれに基づく１つまたは複数の非アクティビティ期間を示すＤＲＸ構成情報を生成するＤＲＸ構成情報生成ユニットを含むこともできる。このシステムは生成されたＤＲＸ構成情報を記憶するメモリを含むこともできる。
【００２６】
上述の関連目標の達成に向け、１つまたは複数の実施形態が以下に十分に説明され特に特許請求の範囲で指摘される特徴を備える。以下の説明および添付の図面はこの１つまたは複数の実施形態のいくつかの例示的な態様を詳細に明らかにするものである。しかしながら、これら態様は様々な実施形態の原理を採用できる様々な方法のほんのいくつかを示すものであり、説明された実施形態がすべてのこうした態様およびこれらの均等物を含むものとする。
【図面の簡単な説明】
【００２７】
【図１】本明細書で明らかにされる様々な態様に従ってＤＲＸを容易にする例示的なワイヤレス通信システムの図。
【図２】本明細書で明らかにされる様々な態様に従ってＤＲＸを容易にする例示的なワイヤレスネットワーク環境の図。
【図３】本明細書で明らかにされる様々な態様に従ってＤＲＸを容易にするシステムのブロック図の一例の図。
【図４】本明細書で明らかにされる様々な態様に従ってＤＲＸレベルの時間および周波数態様を示すグラフの一例の図。
【図５】本明細書で明らかにされる様々な態様に従ってＤＲＸを容易にするシステムのブロック図の別の例の図。
【図６】本明細書で明らかにされる様々な態様に従ってＤＲＸを容易にするＵＥのブロック図の一例の図。
【図７】本明細書で明らかにされる様々な態様に従ってＤＲＸを容易にするＵＥのブロック図の別の例の図。
【図８】本明細書で明らかにされる様々な態様に従ってＤＲＸを容易にするシステムのブロック図の一例の図。
【図９】本明細書で明らかにされる様々な態様に従ってＤＲＸを容易にするシステムのブロック図の一例の図。
【図１０】本明細書で明らかにされる様々な態様に従ってＤＲＸを容易にするシステムのブロック図の一例の図。
【図１１】本明細書で明らかにされる様々な態様に従ってＤＲＸを容易にするシステムのブロック図の一例の図。
【図１２】本明細書で明らかにされる様々な態様に従ってＤＲＸを容易にするシステムのブロック図の一例の図。
【図１３】本明細書で明らかにされる様々な態様に従ってＤＲＸを容易にする方法の一例の図。
【図１４】本明細書で明らかにされる様々な態様に従ってＤＲＸを容易にする方法の一例の図。
【図１５】本明細書で明らかにされる様々な態様に従ってＤＲＸを容易にする方法の一例の図。
【図１６】本明細書で明らかにされる様々な態様に従ってＤＲＸを容易にする方法の一例の図。
【発明を実施するための形態】
【００２８】
詳細な説明
様々な実施形態がこれから図面を参照して説明される。図面全体にわたり、同様の参照番号が同様の要素を指すために使用される。以下の記述には、多数の具体的な詳細が、説明の目的で、１つまたは複数の実施形態の完全な理解を与えるために明らかにされる。しかしながら、そのような実施形態は、これら具体的な詳細なしに実施され得ることは明らかなはずである。他の例では、よく知られている構造およびデバイスが１つまたは複数の実施形態の説明を容易にするためにブロック図形式で示される。
【００２９】
本願で使用する「構成要素(component)」、「モジュール」、「システム」などの用語は、コンピュータ関連のエンティティ、すなわち、ハードウェア、ファームウェア、ハードウェアとソフトウェアの組合せ、ソフトウェア、および／または実行中のソフトウェアのいずれかを指すものとする。例えば、構成要素は、プロセッサ上で実行されるプロセス、プロセッサ、オブジェクト、実行ファイル、実行スレッド、プログラム、および／またはコンピュータであってよいが、これらに限定されない。説明上、コンピューティングデバイスで実行されるアプリケーションおよび／またはそのコンピューティングデバイスの両方が構成要素であり得る。１つまたは複数の構成要素がプロセスおよび／または実行スレッド内に常駐でき、１つの構成要素が１つのコンピュータ上に配置され、および／または２つ以上のコンピュータ間において分散されることができる。さらに、これら構成要素は、様々なデータ構造を記憶している様々なコンピュータ可読媒体から実行できる。これら構成要素は、１つまたは複数のデータパケットを有する信号（ローカルシステム、分散システム内の別の構成要素、および／またはこの信号で他インターネットなどのネットワークを介して別の構成要素と対話する１つの構成要素からのデータ等）に従うようなローカルおよび／またはリモートプロセスを介して通信できる。
【００３０】
本明細書に記載される技術は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）および／または他のシステムなど、様々なワイヤレス通信システムに対して使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ１２２０などの無線技術を実施できる。ＵＴＲＡは、Ｗｉｄｅｂａｎｄ−ＣＤＭＡ（Ｗ−ＣＤＭＡ）およびＣＤＭＡの他の変種を含む。ＣＤＭＡ１２２０は、ＩＳ−１２２０、ＩＳ−９５、およびＩＳ−８５６規格をカバーする。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ１２２．１１（Ｗｉ−Ｆｉ）、ＩＥＥＥ１２２．１６（ＷｉＭＡＸ）、ＩＥＥＥ１２２．２０、Ｆｌａｓｈ−ＯＦＤＭなどの無線技術を実施できる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳの今度のリリースである。ＵＴＲＡ、Ｅ−ＵＴＲＡ、ＵＭＴＳ、ＬＴＥおよびＧＳＭ(登録商標)は、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ＣＤＭＡ１２２０およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、こうしたワイヤレス通信システムは、不対の無ライセンススペクトル(unpaired unlicensed spectrums)と、１２２．ｘｘワイヤレスＬＡＮと、ＢＬＵＥＴＯＯＴＨ(登録商標)と任意の他の短距離または長距離ワイヤレス通信技術とをしばしば使用するピアツーピア（例えば、モバイルツーモバイル）アドホックネットワークシステムをさらに含むことができる。
【００３１】
シングルキャリア周波数分割多元接続（ＳＣ−ＦＤＭＡ）は、シングルキャリア変調および周波数領域等化を利用する。ＳＣ−ＦＤＭＡは、ＯＦＤＭＡシステムと同様のパフォーマンスおよび本質的に同じ全体的複雑さを有し得る。ＳＣ−ＦＤＭＡ信号は、その固有のシングルキャリア構造のためにより低いピーク対平均電力比（ＰＡＰＲ）を有し得る。ＳＣ−ＦＤＭＡは、例えば、より低いＰＡＰＲが送信電力効率の点でＵＥに大きな利益を与えるアップリンク通信において使用され得る。従って、ＳＣ−ＦＤＭＡは、３ＧＰＰ  Ｌｏｎｇ  Ｔｅｒｍ  Ｅｖｏｌｕｔｉｏｎ（ＬＴＥ）またはＥｖｏｌｖｅｄ  ＵＴＲＡにおいてアップリンク多元接続方式として実施され得る。
【００３２】
さらに、本明細書では、様々な実施形態がＵＥに関連して説明される。ＵＥは、システム、加入者ユニット、加入者局、移動局、モバイル、リモート局、リモート端末、モバイルデバイス、ユーザ端末、端末、ワイヤレス通信デバイス、ユーザエージェント、ユーザデバイスまたはアクセス端末と呼ばれることもある。ＵＥは、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであることができる。さらに、本明細書では、様々な実施形態がＢＳに関連して説明される。ＢＳはＵＥとの通信に利用でき、アクセスポイント、ノードＢ、進化型ノードＢ（ｅノードＢ、ｅＮＢ）、または何らかの他の用語で呼ばれることもある。
【００３３】
さらに、「または」という用語は、排他的な意味の「または」でなく包括的な意味の「または」であることを意図する。すなわち、別段の規定がない限り、または文脈から明白でない限り、「ＸはＡまたはＢを使用する」という句は、自然な包括的並べ替えのどれかを意味するものとする。すなわち、「ＸはＡまたはＢを使用する」という句は、ＸがＡを使用する場合、ＸがＢを使用する場合、またはＸがＡとＢの両方を使用する場合のいずれによっても満足される。さらに、本願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００３４】
本明細書で説明する様々な態様または特徴は、標準のプログラミングおよび／またはエンジニアリング技術を使用した方法、装置、または製造品として実施され得る。本明細書で使用する「製造品」という用語は、任意のコンピュータ可読デバイス、キャリア、または媒体からアクセス可能なコンピュータプログラムを包含するものとする。例えば、コンピュータ可読媒体は、磁気ストレージデバイス（例えば、ハードディスク、フロッピー(登録商標)ディスク、磁気ストリップ）、光ディスク（例えば、コンパクトディスク（ＣＤ）、デジタル多用途ディスク（ＤＶＤ））、スマートカード、およびフラッシュメモリデバイス（例えば、ＥＰＲＯＭ、カード、スティック、キードライブ）を含むことができるが、これらに限定されない。さらに、本明細書で説明する様々な記憶媒体は、情報を記憶するための１つまたは複数のデバイスおよび／または他の機械可読媒体を表すことができる。「機械可読媒体」という用語は、ワイヤレスチャネル、ならびにコードおよび／または（１つまたは複数の）命令および／またはデータを記憶、含有、および／または搬送することが可能な様々な他の媒体を含むことができるが、これらに限定されない。
【００３５】
次に図１を参照すると、ワイヤレス通信システム１００が本明細書で提示される様々な実施形態に従って示される。システム１００は、複数のアンテナグループを含むことができるＢＳ１０２を含む。例えば、１つのアンテナグループはアンテナ１０４、１０６を含むことができ、別のグループはアンテナ１０８、１１０を備えることができ、さらなるグループはアンテナ１１２、１１４を含むことができる。アンテナグループごとに２つのアンテナが示されるが、グループごとにより多いまたはより少ないアンテナを利用できる。ＢＳ１０２は、さらに、送信機チェーンおよび受信機チェーンを含むことができ、送信機チェーンおよび受信機チェーンの各々は、当業者なら認識するように、信号送信および受信に関連付けられる複数の構成要素（例えば、プロセッサ、変調器、マルチプレクサ、復調器、デマルチプレクサ、アンテナ）を備えることができる。
【００３６】
ＢＳ１０２は、ＵＥ１１６、１２２などの１つまたは複数のＵＥと通信できる。但し、ＢＳ１０２は、ＵＥ１１６、１２２と同様の実質的に任意の数のＵＥと通信できることを認識されたい。ＵＥ１１６、１２２は、例えば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１００を介して通信するための任意の他の適切なデバイスであることができる。図示のように、ＵＥ１１６はアンテナ１１２、１１４と通信しており、アンテナ１１２、１１４は、ＤＬ１１８を介して情報をＵＥ１１６に送信し、ＵＬ１２０を介してＵＥ１１６から情報を受信する。その上、ＵＥ１２２はアンテナ１０４、１０６と通信しており、アンテナ１０４、１０６は、ＤＬ１２４を介して情報をＵＥ１２２に送信し、ＵＬ１２６を介してＵＥ１２２から情報を受信する。周波数分割デュプレックス（ＦＤＤ）システムでは、例えば、ＤＬ１１８がＵＬ１２０によって使用される周波数帯とは異なる周波数帯を利用することができ、ＤＬ１２４がＵＬ１２６によって採用される周波数帯とは異なる周波数帯を採用できる。さらに、時分割デュプレックス（ＴＤＤ）システムでは、ＤＬ１１８およびＵＬ１２０が共通の周波数帯を利用でき、ＤＬ１２４およびＵＬ１２６が共通の周波数帯を利用できる。
【００３７】
各グループのアンテナおよび／またはこれらが通信するように指定されたエリアは、ＢＳ１０２のセクタと呼ばれることがある。例えば、アンテナグループは、ＢＳ１０２によってカバーされるエリアのセクタ内の複数のＵＥに通信するように設計され得る。ＤＬ１１８、１２４を介する通信では、ＢＳ１０２の複数の送信アンテナがＵＥ１１６、１２２のＤＬ１１８、１２４の信号対雑音比を改善するためにビームフォーミングを利用できる。また、ＢＳ１０２が、ビームフォーミングを利用して関連するカバレージ中にランダムに散在するＵＥ１１６、１２２に送信する間、ＢＳがシングルアンテナを通してこのＢＳのすべてのＵＥに送信する場合と比較して、近隣セル中のＵＥ１１６、１２２は干渉を受けにくくなり得る。
【００３８】
さらに、システム１００は、ＢＳ１０２からＵＬ１２６を介してＵＥ１２２にＤＲＸ構成情報を供給することによってＤＲＸを容易にできる。ＤＲＸ構成情報は、時間パラメータと周波数パラメータとに基づいてＤＲＸを制御するためのものであり得る。ＤＲＸを容易にするＵＥ１２２およびＢＳ１０２、システム、方法、コンピュータプログラム製品および手段の実施形態が以下においてさらに詳細に説明される。
【００３９】
図２は、本明細書で明らかにされる様々な態様に従ってＤＲＸを容易にするワイヤレスネットワーク環境の一例の図である。ワイヤレス通信システム２００には、簡潔さのために、１つのＢＳ２１０および１つのＵＥ２５０が示されている。但し、システム２００は１つより多くのＢＳおよび／または１つより多くのＵＥを含むことができ、追加のＢＳおよび／またはＵＥは、以下に説明する例示的なＢＳ２１０およびＵＥ２５０と実質的に同様または異なるものであってよいことを認識されたい。さらに、ＢＳ２１０および／またはＵＥ２５０は、ＤＲＸを容易にするために以下に説明する方法（例えば、図１３〜図１６）、装置（例えば、図６および図７）および／またはシステム（例えば、図１、図２、図３、図５および図８〜図１２）を採用するできることを認識されたい。
【００４０】
ＢＳ２１０において、いくつかのデータストリームのためのトラフィックデータがデータソース２１２から送信（ＴＸ）データプロセッサ２１４に供給される。一例によれば、各データストリームは該当アンテナを介して送信され得る。ＴＸデータプロセッサ２１４は、トラフィックデータストリーム用に選択された特定の符号化方式に基づいて、このデータストリームをフォーマット化し、符号化し、インターリーブして、符号化データを与える。
【００４１】
各データストリームの符号化データは、直交周波数分割多重（ＯＦＤＭ）技術を使用してパイロットデータと多重化され得る。追加または代替として、パイロットシンボルは、周波数分割多重（ＦＤＭ）、時分割多重（ＴＤＭ）、または符号分割多重（ＣＤＭ）され得る。パイロットデータは、一般に、既知の方法で処理される既知のデータパターンであり、チャネル応答を推定するためにＵＥ２５０において使用され得る。各データストリームの多重化されたパイロットおよび符号化データは、このデータストリーム用に選択された特定の変調方式（例えば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ））に基づいて変調（例えば、シンボルマッピング）して、変調シンボルを与えることができる。各データストリームのデータレート、符号化、および変調は、プロセッサ２３０によって実行または与えられる命令によって判断され得る。
【００４２】
データストリームの変調シンボルはＴＸ  ＭＩＭＯプロセッサ２２０に供給され、ＴＸ  ＭＩＭＯプロセッサ２２０は、さらに（例えば、ＯＦＤＭ用に）変調シンボルを処理できる。次いで、ＴＸ  ＭＩＭＯプロセッサ２２０は、ＮT個の変調シンボルストリームをＮT個の送信機（ＴＭＴＲ）２２２ａ〜２２２ｔに供給する。様々な実施形態では、ＴＸ  ＭＩＭＯプロセッサ２２０がデータストリームの複数のシンボルおよびこのシンボルの送信元のアンテナにビームフォーミング重みを適用する。
【００４３】
各送信機２２２は、該当シンボルストリームを受信し、処理して、１つまたは複数のアナログ信号を供給し、さらに、これらのアナログ信号を調整（例えば、増幅、フィルタ処理、およびアップコンバート）して、ＭＩＭＯチャネルを介して送信するのに適した変調信号を供給する。さらに、送信機２２２ａ〜２２２ｔからのＮT個の変調信号は、それぞれ、ＮT個のアンテナ２２４ａ〜２２４ｔから送信される。
【００４４】
ＵＥ２５０では、送信された変調信号がＮR個のアンテナ２５２ａ〜２５２ｒによって受信され、各アンテナ２５２から受信された信号は、該当受信機（ＲＣＶＲ）２５４ａ〜２５４ｒに供給される。各受信機２５４は、該当信号を調整（例えば、フィルタ処理、増幅、およびダウンコンバート）し、調整された信号をデジタル化して、サンプルを与え、さらに、これらのサンプルを処理して、対応する「受信」シンボルストリームを供給する。
【００４５】
ＲＸデータプロセッサ２６０は、特定の受信機処理技術に基づいてＮR個の受信機２５４からＮR個の受信シンボルストリームを受信し、処理して、ＮT個の「検出」シンボルストリームを供給できる。ＲＸデータプロセッサ２６０は、各検出シンボルストリームを復調し、デインターリーブし、復号して、データストリームのトラフィックデータを復元できる。ＲＸデータプロセッサ２６０による処理は、ＢＳ２１０においてＴＸ  ＭＩＭＯプロセッサ２２０とＴＸデータプロセッサ２１４とによって実行される処理を補足するものである。
【００４６】
プロセッサ２７０は、上述のように、どの利用可能な技術を利用すべきかを周期的に判断できる。さらに、プロセッサ２７０は、行列インデックス部分とランク値部分とを備える逆方向リンクメッセージを作成できる。
【００４７】
逆方向リンクメッセージは、通信リンクおよび／または受信データストリームに関する様々なタイプの情報を備えることができる。逆方向リンクメッセージは、データソース２３６から複数のデータストリームのトラフィックデータをも受信するＴＸデータプロセッサ２３８によって処理され、変調器２８０によって変調され、送信機２５４ａ〜２５４ｒによって調整され、ＢＳ２１０に戻され得る。
【００４８】
ＢＳ２１０において、ＵＥ２５０からの変調信号は、アンテナ２２４によって受信され、受信機２２２によって調整され、復調器２４０によって復調され、ＲＸデータプロセッサ２４２によって処理されて、ＵＥ２５０によって送信された逆方向リンクメッセージが抽出される。さらに、プロセッサ２３０は、抽出されたメッセージを処理して、ビームフォーミング重みを判断するためにどのプリコーディング行列を使用すべきかを判断できる。
【００４９】
プロセッサ２３０および２７０は、それぞれＢＳ２１０およびＵＥ２５０における動作を指示（例えば、制御、調整、管理）できる。該当プロセッサ２３０および２７０は、プログラムコードおよびデータを記憶するメモリ２３２および２７２と連携され得る。また、プロセッサ２３０および２７０はそれぞれアップリンクおよびダウンリンクに関して周波数推定値およびインパルス応答推定値を導き出すための計算を実行できる。
【００５０】
一態様では、複数の論理チャネルが制御チャネルおよびトラフィックチャネルに分類され得る。論理制御チャネルは、システム制御情報をブロードキャストするためのＤＬチャネルであるブロードキャスト制御チャネル（ＢＣＣＨ）を含むことができる。さらに、論理制御チャネルは、ページング情報を転送するＤＬチャネルであるページング制御チャネル（ＰＣＣＨ）を含むことができる。その上、論理制御チャネルはマルチキャスト制御チャネル（ＭＣＣＨ）を含むことができ、マルチキャスト制御チャネルは、１つまたは複数のマルチキャストトラフィックチャネル（ＭＴＣＨ）についてのマルチメディアブロードキャストおよびマルチキャストサービス（ＭＢＭＳ）のスケジューリングおよび制御情報を送信するために使用されるポイントツーマルチポイントＤＬチャネルである。概して、無線リソース制御（ＲＲＣ）接続を確立した後、このチャネルは、ＭＢＭＳ（例えば、古いＭＣＣＨ＋ＭＳＣＨ）を受信するＵＥによって使用されるだけである。さらに、論理制御チャネルは専用制御チャネル（ＤＣＣＨ）を含むことができ、専用制御チャネルは、専用制御情報を送信するポイントツーポイント双方向チャネルであり、ＲＲＣ接続を有するＵＥによって使用され得る。一態様では、論理トラフィックチャネルがユーザ情報を転送するための１つのＵＥに専用のポイントツーポイント双方向チャネルである専用トラフィックチャネル（ＤＴＣＨ）を備えることができる。また、論理トラフィックチャネルは、トラフィックデータを送信するためのポイントツーマルチポイントＤＬチャネルのためのＭＴＣＨを含むことができる。
【００５１】
一態様では、トランスポートチャネルがＤＬおよびＵＬに分類される。ＤＬトランスポートチャネルは、ブロードキャストチャネル（ＢＣＨ）、ダウンリンク共有データチャネル（ＤＬ−ＳＤＣＨ）、およびページングチャネル（ＰＣＨ）を含むことができる。ＰＣＨは、セル全体にわたってブロードキャストされることと、他の制御／トラフィックチャネルのために使用され得る物理レイヤ（ＰＨＹ）リソースにマッピングされることとによって、ＵＥ節電（例えば、ネットワークが不連続受信（ＤＲＸ）サイクルをＵＥに示すことがある）をサポートできる。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを備えることができる。
【００５２】
ＰＨＹチャネルは、ＤＬチャネルとＵＬチャネルとのセットを含むことができる。例えば、ＤＬ  ＰＨＹチャネルは、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当てチャネル（ＳＵＡＣＨ）、肯定応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、および／または負荷インジケータチャネル（ＬＩＣＨ）を含むことができる。さらなる例として、ＵＬ  ＰＨＹチャネルは、物理ランダムアクセスチャネル（ＰＲＡＣＨ）、チャネル品質インジケータチャネル（ＣＱＩＣＨ）、肯定応答チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、および／またはブロードバンドパイロットチャネル（ＢＰＩＣＨ）を含むことができる。
【００５３】
図３に、本明細書で明らかにされる様々な態様に従ってＤＲＸを容易にするシステムのブロック図の一例を示す。システム１００’は、互いに通信可能に結合されたＤＲＸネットワーク制御ユニット３０２とＵＥ１２２’とを含むことができる。図示のように、ＤＲＸネットワーク制御ユニット３０２は、図３に示し以下により詳細に説明する、ＤＲＸ構成情報を含むメッセージ３１６など、情報をＵＥ１２２’に送信できる。図３にはただ１つのＵＥ１２２’が示されるが、他の実施形態では、任意の数のＵＥ（および／または本明細書で説明するＵＥ１２２、１２２’’、１２２’’’、１２２’’’’）がＤＲＸネットワーク制御ユニット３０２から情報を受信できる。さらに、ＵＥ１２２’が図示および説明されているが、（図１を参照して説明した）ＵＥ１２２および／または（それぞれ図５、図６、および図７を参照して後で説明する）ＵＥ１２２’’、１２２’’’、１２２’’’’において、ＵＥ１２２’と同じまたは実質的に同様の構造および／または機能が提供され得ることを理解されたい。
【００５４】
再び図３を参照すると、ＤＲＸネットワーク制御ユニット３０２は、ＵＥ１２２’のＤＲＸ動作を制御するために、時間および周波数キャリア情報に基づいて、ＤＲＸ構成情報を生成するように適応された、任意のハードウェア、ソフトウェア、またはこれらの組合せであり得る。図示の実施形態では、ＤＲＸネットワーク制御ユニット３０２が、通信ユニット３０６と、ＤＲＸ構成情報生成ユニット３０８と、非アクティビティ期間およびキャリア周波数トラフィック評価ユニット３１０と、ＤＲＸ構成情報３１４を記憶するように構成されるメモリ３１２とを含むことができる。ＤＲＸネットワーク制御ユニット３０２の構成要素のうちの１つまたは複数は、ＵＥ１２２’に送信されるメッセージ３１６を生成するために互いに通信可能に結合され得る。
【００５５】
図示の実施形態において、ＤＲＸ構成情報生成ユニット３０８は、ＵＥ１２２’が使用するＤＲＸ構成情報３１４を生成するための任意のハードウェア、ソフトウェアまたはこれらの組合せであるか、あるいはこれらを含むことができる。ＤＲＸ構成情報３１４は、時間および周波数の両方に関連する複数のパラメータを示す情報を含むことができる。複数の時間および周波数パラメータは、ＵＥ１２２’での非アクティビティ時間期間に基づいて１つまたは複数の周波数キャリア上でＵＥ１２２’のＤＲＸを制御するために、互いに関連付けられ得る。従って、１つまたは複数の周波数キャリアは、非アクティビティ期間に基づいて選択され、動的に変化できる。さらに、１つより多くの非アクティビティ期間が存在できる。
【００５６】
限定ではなく、例として、時間に関連するパラメータは、ＵＥ１２２’での非アクティビティ期間の持続時間であり得る。別の例として、しかし、この場合も限定ではなく、周波数に関連するパラメータは、ＵＥ１２２’がその上でＤＲＸを実行すべき周波数キャリアのタイプまたは数であり得る。従って、ＤＲＸ構成情報３１４は、ＵＥ１２２’がそれに基づいてＤＲＸを実行する（時間ファクタと周波数ファクタの両方を含む）２次元情報を示すことができる。ＤＲＸ構成情報３１４は、ＤＲＸ構成情報３１４がＵＥ１２２’での複数のＤＲＸレベルを表すことができるように、時間および周波数ＤＲＸの複数の組合せを含むことができる。限定ではなく、例として、第１のＤＲＸレベルが第１の非アクティビティ期間と対応する第１のセットの複数の周波数キャリアまたは複数タイプの周波数キャリアとに対応し、第２のＤＲＸレベルが第２の非アクティビティ期間と対応する第２のセットの複数の周波数キャリアまたは複数縦プの周波数キャリアとに対応できる。
【００５７】
一実施形態において、ＤＲＸ構成情報生成ユニット３０８は、ＵＥ１２２’で発生し得る非アクティビティ期間の長さを判断することによってＤＲＸ構成情報３１４を生成できる。「非アクティビティ期間」という用語は、本明細書において「ＵＥ１２２’でデータが受信されておらず、ＵＥ１２２’が送信すべきデータを有しない時間の長さ」を意味するために使用される。非アクティビティ期間の時間の長さを表す値は、ＵＥ１２２’からの情報に基づいて、および／またはＤＲＸネットワーク制御ユニット３０２とＵＥ１２２’とが動作しているマルチキャリアワイヤレス通信システム１００’からの情報に基づいて、ＤＲＸ構成情報生成ユニット３０８によってランダムに選択され得る。
【００５８】
ＤＲＸ構成情報生成ユニット３０８は、非アクティビティ期間の長さに対応するＤＲＸサイクルの長さを判断できる。ＤＲＸサイクルは、ＵＥ１２２’がデータを受信できるアウェイク期間と、ＵＥ１２２’がデータを受信することができないスリープ期間とを含むことができる。従って、ＵＥ１２２’のバッテリー（図示せず）によって消耗される電力を節約するために、ＤＲＸサイクル長は、ＤＲＸサイクル長が非アクティビティ期間の増加とともに増加し、非アクティビティ期間の減少とともに減少するように選択され得る。他の実施形態において、ＤＲＸサイクル内のスリープ期間の長さは、非アクティビティ期間の増加とともに増加し、非アクティビティ期間の減少とともに減少する。
【００５９】
図４に、本明細書で明らかにされる様々な態様に従ってＤＲＸレベルの時間および周波数態様を表示するグラフの一例を示す。図４の説明は、図３に関してＵＥ１２２’に対応して与えられているが、この説明は、（図１を参照して説明した）ＵＥ１２２および／または（それぞれ図５、図６および図７を参照して後で説明する）ＵＥ１２２’’、１２２’’’、１２２’’’’に適用され得ることを理解されたい。
【００６０】
時間軸に関して示されているように、ＤＲＸ構成情報生成ユニット３０８によって判断され、ＵＥ１２２’がそれに従ってＤＲＸを実行する、ＤＲＸサイクル長は、異なり得る。ＤＲＸサイクル長は、ＤＲＸ構成情報生成ユニット３０８によって判断された非アクティビティ期間に応じて異なり得る。
【００６１】
再び図３を参照すると、該当非アクティビティ期間についてそれぞれ生成される任意の数のＤＲＸサイクル長が存在できる。従って、ＵＥ１２２’で経験される各非アクティビティ期間は、ＵＥ１２２’を、新しいＤＲＸ動作によって定義される新しい状態に遷移させることができる。いくつかの実施形態では、１つより多くの非アクティビティ期間がＵＥ１２２’を同じ状態へ遷移させ得る。
【００６２】
また、ＤＲＸ構成情報生成ユニット３０８は判断されたＤＲＸサイクル長の各々についてＵＥ１２２’がその上でＤＲＸを実行する１つまたは複数の周波数キャリアを判断できる。いくつかの実施形態では、非アクティビティ期間およびキャリア周波数トラフィック評価ユニット３１０が１つまたは複数の周波数キャリアあるいは１つまたは複数の非アクティビティ期間を判断し、この情報をＤＲＸ構成情報生成ユニット３０８に供給できる。
【００６３】
バッテリー寿命を節約するために、様々な実施形態では、選択されたＤＲＸサイクル長について、ＤＲＸサイクルのアウェイク期間中にＵＥ１２２’によって１つのみまたは選択された数（あるいは選択されたタイプ）の周波数キャリアが監視される。例えば、ＵＥ１２２’が、ＵＥ１２２’がその上のデータを受信するように構成される周波数キャリアの各々を監視する代わりに、ＵＥ１２２’がアウェイク期間中にあるときはいつでも、ＵＥ１２２’は単一の周波数キャリアのみを監視できる。
【００６４】
一実施形態では、非アクティビティ期間が増加するにつれて、ＤＲＸサイクルがより少ないキャリア上のデータを監視および受信するために実行される。このような実施形態では、第１の極めて短い非アクティビティ期間について、ＤＲＸ構成情報生成ユニット３０８がＵＥ１２２’が周波数キャリアの各々上のデータを監視し、データを受信することが可能であるように、ＤＲＸ構成情報３１４を生成できる。第１の非アクティビティ期間よりも長い第２の非アクティビティ期間について、ＤＲＸ構成情報生成ユニット３０８は、ＵＥ１２２’が単一の周波数キャリア上でのみデータを監視し、データを受信することが可能であるように、ＤＲＸ構成情報３１４を生成できる。第２の非アクティビティ期間よりも長い第３の非アクティビティ期間について、ＤＲＸ構成情報生成ユニット３０８は、ＵＥ１２２’が同じく単一の周波数キャリア上でのみデータを監視し、データを受信することが可能であるように、ＤＲＸ構成情報３１４を生成できる。第２の非アクティビティ期間の周波数キャリアは、第３の非アクティビティ期間の周波数キャリアと異なることも同じであることもできる。一実施形態では、第２の非アクティビティ期間に対応する周波数キャリアがアンカーキャリアであると判断される。
【００６５】
いくつかの実施形態において、ＤＲＸ構成情報生成ユニット３０８は、ＵＥ１２２’がアンカーキャリア上のデータを連続的に監視および／または受信し、および／または、ＤＲＸが非アンカー周波数キャリアのうちの１つまたは複数の上でのみ実行されるように、ＤＲＸ構成情報３１４を生成できる。
【００６６】
再び図４を参照すると、ＵＥ１２２’におけるＤＲＸレベルの時間および周波数態様を表示する例示的なグラフが示される。周波数軸に関して示されているように、（非アクティビティ期間に対応し得る）ＤＲＸサイクル長についてＤＲＸ構成情報生成ユニット３０８が判断し、ＵＥ１２２’がそれに従ってＤＲＸを実行する、１つまたは複数の周波数キャリアは、異なり得る。同様に、上述したように、周波数キャリアのタイプ（例えば、アンカーキャリア、非アンカーキャリア）は異なってよい。
【００６７】
表１〜表４は、ＤＲＸ構成情報３１４において実施され、ＵＥ１２２’がそれによってＤＲＸを実行できる非アクティビティ期間Ｐ、ＤＲＸサイクル長Ｌおよび／またはキャリアｆの例示的な相対値である。表１は、時間パラメータに基づくＤＲＸを示す。一方、表２、表３および表４は、複数の時間および周波数パラメータの組合せに基づく。
【表１】
2014131303.tif 000003
【表２】
2014131303.tif 000004
【表３】
2014131303.tif 000005
【表４】
2014131303.tif 000006
【００６８】
再び図３を参照すると、ＤＲＸ構成情報３１４がメモリ３１２に記憶されてＵＥ１２２’への再送のために読み出されることがいくつかの実施形態においてできる。通信ユニット３０６はＤＲＸ構成情報３１４をＵＥ１２２’に送信（または再送信）できる。
【００６９】
ＵＥ１２２’は、時間および周波数キャリア情報に基づいてＤＲＸ構成情報３１４を受信し、受信されたＤＲＸ構成情報３１４に基づいて１つまたは複数の周波数キャリア上でＤＲＸ動作を実行するように適応された、任意のハードウェア、ソフトウェア、またはこれらの組合せであり得る。様々な実施形態では、ＵＥ１２２’が、限定はしないが、セルフォン、携帯情報端末（ＰＤＡ）および／またはラップトップを含むモバイルデバイスであり得る。いくつかの実施形態では、ＵＥ１２２’がコンピュータ、複写機、プリンタおよび／またはコピー機であり得る。
【００７０】
図示の実施形態では、ＵＥ１２２’が通信ユニット３１８と、ＤＲＸ制御ユニット３２０と、受信されたＤＲＸ構成情報３３０を記憶するように構成されるメモリ３２８とを含む。いくつかの実施形態では、受信されたＤＲＸ構成情報３３０がＤＲＸ構成生成ユニット３０８によって生成されたＤＲＸ構成情報３１４と同じである。ＤＲＸ制御ユニット３２２は、ＤＲＸ構成情報３１４に基づいてＵＥ１２２’の時間ベースおよび周波数ベースＤＲＸ動作を制御するように適応された、任意のハードウェア、ソフトウェア、またはこれらの組合せであり得る。一実施形態では、ＤＲＸ制御ユニット３２０が、ＵＥ１２２’において経験された非アクティビティ期間の長さを監視し、判断するように構成される非アクティビティ期間評価ユニット３２６と、ＵＥ１２２’によって実行されているかまたは実行されるべきＤＲＸ動作を生成するために結合しなければならない、対応するアウェイク期間およびスリープ期間を判断するように構成されるアウェイクスリープ期間制御ユニットと、ＵＥ１２２’に、ＵＥ１２２’のＤＲＸ動作に従ってデータを監視し受信するために様々な周波数キャリアを選択させるように構成される周波数キャリア選択ユニット３２２とを含む。従って、ＤＲＸ制御ユニット３２０は、ＤＲＸネットワーク制御ユニット３０２から受信されたＤＲＸ構成情報３１４に従ってＵＥ１２２’のＤＲＸ動作を制御する。
【００７１】
図５に、本明細書で明らかにされる様々な態様に従ってＤＲＸを容易にするシステムのブロック図の別の例を示す。システム１００’’は、プロセッサユニット５０４およびメモリ５０６を有する制御ユニット５０２と、プロセッサユニット５１０およびメモリ４１２を有するＵＥ１２２’’とを含むことができる。
【００７２】
いくつかの実施形態では、制御ユニット５０２が複数の時間および周波数パラメータに基づいてＤＲＸ制御情報を生成し、生成されたＤＲＸ制御情報を出力するように構成され得る。ＤＲＸ制御情報は複数のＤＲＸレベルに対応し得る。
【００７３】
ＵＥ１２２’’は、データのマルチキャリア受信を実行可能であり得る。ＵＥ１２２’’は、制御ユニット５０２に通信可能に結合され得、出力されたＤＲＸ制御情報を受信するように構成され得る。また、ＵＥ１２２’’は、このＵＥ１２２’’が複数のＤＲＸレベルのうちの１つに従ってマルチキャリア受信を実行するように構成され得る１つまたは複数の周波数キャリア上でＤＲＸを実行するように構成され得る。
【００７４】
いくつかの実施形態では、制御ユニット５０２がＢＳである。ＢＳは、図１を参照して説明したＢＳ１０２であり得る。いくつかの実施形態では、制御ユニット５０２が、図３を参照して説明したＤＲＸネットワーク制御ユニット３０２である。いくつかの実施形態において、ＵＥ１２２’’は、さらにこのＵＥ１２２’’がＤＲＸを実行する時間間隔中に、選択された周波数キャリア上で連続受信を実行するように構成され得る。選択された周波数キャリアはアンカーキャリアであり得る。
【００７５】
図６に、本明細書で明らかにされる様々な態様に従ってＤＲＸを容易にするＵＥのブロック図の一例を示す。ＵＥ１２２’’’は、プロセッサユニット６０４を含む制御ユニット６０２と、メモリユニット６０８とを含むことができる。いくつかの実施形態では、ＵＥ１２２’’’が通信ユニット６０６をも含むことができる。様々な実施形態では、上述のユニットのうちの１つまたは複数が、ＤＲＸを容易にするために通信可能に結合され得る。
【００７６】
いくつかの実施形態において、制御ユニット６０２は、装置の１つまたは複数の非アクティビティ期間と、装置がデータを監視し受信するように構成される１つまたは複数のセットの周波数キャリアとを示す複数のパラメータに少なくとも基づいてＤＲＸを実行するために構成され得る。また、制御ユニット６０２は１つまたは複数の非アクティビティ期間のうちの第１の非アクティビティ期間の後に、１つまたは複数のセットの周波数キャリアのうちの第１のセットを監視することに対応する第１の状態で動作することと、１つまたは複数の非アクティビティ期間のうちの第２の非アクティビティ期間の後に、１つまたは複数のセットの周波数キャリアのうちの第２のセットを監視することに対応する第２の状態で動作することとのために構成され得る。
【００７７】
いくつかの実施形態において、制御ユニット６０２はＵＥ１２２’’’のアンカーキャリアに対応する周波数キャリア上で連続受信を実行するために構成され得る。いくつかの実施形態では、通信ユニット６０６が、制御ユニット６０２に通信可能に結合されたネットワーク制御ユニット（図示せず）において生成されたＤＲＸ構成情報を受信するために構成され得る。いくつかの実施形態では、ネットワーク制御ユニットが、図１を参照して説明したＢＳ１０２、または図３を参照して説明したＤＲＸネットワーク制御ユニット３０２であり得る。
【００７８】
図７に、本明細書で明らかにされる様々な態様に従ってＤＲＸを容易にするＵＥのブロック図の別の例を示す。ＵＥ１２２’’’’は、プロセッサユニット７０４を含む制御ユニット７０２と、マルチキャリア受信機７１７と、メモリユニット７１０とを含むことができる。様々な実施形態では、上述のユニットのうちの１つまたは複数が、ＤＲＸを容易にするために通信可能に結合され得る。
【００７９】
マルチキャリア受信機７１７は、マルチキャリア受信機７１７の選択された非アクティビティ期間の後に、選択された１つまたは複数の周波数キャリア上のデータを同時に受信するために構成され得る。このデータの受信は、選択された１つまたは複数の周波数キャリアと、マルチキャリア受信機７１７の選択された非アクティビティ期間とを示す複数のパラメータを含むＤＲＸ構成情報に基づくことができる。
【００８０】
図８〜図１２に、それぞれ、本明細書で明らかにされる様々な態様に従ってＤＲＸを容易にするシステムのブロック図の一例を示す。
【００８１】
図８を参照すると、ＤＲＸを容易にするシステムが示される。例えば、システム８００は、限定はしないが、それぞれ図１、図３、図５、図６および図７を参照して説明したＵＥ１２２、１２２’、１２２’’、１２２’’’、１２２’’’’を含むＵＥ内に常駐できる。システム８００は機能ブロックを含むものとして表されており、この機能ブロックは、プロセッサ、ハードウェア、ソフトウェア、ファームウェア、またはこれらの組合せによって実施される機能を表す機能ブロックであってよいことを認識されたい。システム８００は、装置の１つまたは複数の非アクティビティ期間と、装置がデータを監視し受信するように構成される１つまたは複数のセットの周波数キャリアとを示す複数のパラメータに少なくとも基づいて、ＤＲＸを実行する電気的構成要素８０２を含むことができる。いくつかの実施形態において、電気的構成要素８０２は１つまたは複数の非アクティビティ期間のうちの第１の非アクティビティ期間の後に、１つまたは複数のセットの周波数キャリアのうちの第１のセットを監視することに対応する第１の状態で動作することと、１つまたは複数の非アクティビティ期間のうちの第２の非アクティビティ期間の後に、１つまたは複数のセットの周波数キャリアのうちの第２のセットを監視することに対応する第２の状態で動作することとのためのものでもあり得る。
【００８２】
いくつかの実施形態では、電気的構成要素８０２が装置のアンカーキャリアに対応する周波数キャリア上で連続受信を実行するためのものでもあり得る。
【００８３】
いくつかの実施形態では、電気的構成要素８０２が通信するための電気的構成要素（図示せず）を含むことができる。通信するための電気的構成要素は、ＤＲＸのための電気的構成要素８０２に通信可能に結合されたＤＲＸを制御するための電気的構成要素（図示せず）において生成されたＤＲＸ構成情報を受信するためのものでもあり得る。
【００８４】
いくつかの実施形態では、電気的構成要素８０２が、限定はしないが、受信機、トランシーバ、それぞれ図１、図３、図５、図６および図７を参照して説明したＵＥ１２２、１２２’、１２２’’、１２２’’’、１２２’’’’、図６を参照して説明した通信ユニット６０６、または図７を参照して説明したマルチキャリア受信機７１７を含むことができる。
【００８５】
さらに、システム８００は、電気的構成要素８０２に関連する機能を実行するためのコードおよび／または命令を記憶するための電気的構成要素８０４を含むことができる。電気的構成要素８０４は、限定はしないが、メモリ、コンピュータ可読媒体、および／または図３を参照して説明したメモリ３１２、３２８、図５を参照して説明したメモリ５０６、５１２、図６を参照して説明したメモリユニット６０８、および／または図７を参照して説明したメモリユニット７１０を含むことができる。記憶するための電気的構成要素８０４の外部にあるものとして示されているが、電気的構成要素８０２は、記憶するための電気的構成要素８０４内に含まれ得ることを理解されたい。
【００８６】
図９を参照すると、ＤＲＸを容易にするシステムが示される。例えば、システム９００は、限定はしないが、それぞれ図１、図３、図５、図６および図７を参照して説明したＵＥ１２２、１２２’、１２２’’、１２２’’’、１２２’’’’を含むＵＥ内に常駐できる。システム９００は機能ブロックを含むものとして表されており、この機能ブロックは、プロセッサ、ハードウェア、ソフトウェア、ファームウェア、またはこれらの組合せによって実施される機能を表す機能ブロックであってよいことを認識されたい。システム９００は、複数の時間ベースおよび周波数ベースパラメータを含んだＤＲＸ構成情報に従ってＤＲＸを実行するための電気的構成要素９０２を含むことができる。いくつかの実施形態では、電気的構成要素９０２が、限定はしないが、受信機、トランシーバ、それぞれ図１、図３、図５、図６および図７を参照して説明したＵＥ１２２、１２２’、１２２’’、１２２’’’、１２２’’’’、図６を参照して説明した通信ユニット６０６、または図７を参照して説明したマルチキャリア受信機７１７を含むことができる。
【００８７】
さらに、システム９００は、電気的構成要素９０２に関連する機能を実行するためのコードおよび／または命令を記憶するための電気的構成要素９０４を含むことができる。電気的構成要素９０４は、限定はしないが、メモリ、コンピュータ可読媒体、および／または図３を参照して説明したメモリ３１２、３２８、図５を参照して説明したメモリ５０６、５１２、図６を参照して説明したメモリユニット６０８、および／または図７を参照して説明したメモリユニット７１０を含むことができる。記憶するための電気的構成要素９０４の外部にあるものとして示されているが、電気的構成要素９０２は、記憶するための電気的構成要素９０４内に含まれ得ることを理解されたい。
【００８８】
図１０を参照すると、ＤＲＸを容易にするシステムが示される。例えば、システム１０００は、限定はしないが、それぞれ図１、図３、図５、図６および図７を参照して説明したＵＥ１２２、１２２’、１２２’’、１２２’’’、１２２’’’’を含むＵＥ内に常駐できる。システム１０００は機能ブロックを含むものとして表されており、この機能ブロックは、プロセッサ、ハードウェア、ソフトウェア、ファームウェア、またはこれらの組合せによって実施される機能を表す機能ブロックであってよいことを認識されたい。システム１０００は、同時に受信するための電気的構成要素の選択された非アクティビティ期間の後に、選択された１つまたは複数の周波数キャリア上のデータを同時に受信するための電気的構成要素１００２を含むことができる。受信することは、選択された１つまたは複数の周波数キャリアと、同時に受信するための電気的構成要素１００２の選択された非アクティビティ期間とを示す複数のパラメータを含むＤＲＸ構成情報に基づき得る。いくつかの実施形態では、同時に受信するための電気的構成要素１００２が、限定はしないが、受信機、トランシーバ、それぞれ図１、図３、図５、図６および図７を参照して説明したＵＥ１２２、１２２’、１２２’’、１２２’’’、１２２’’’’、図６を参照して説明した通信ユニット６０６、または図７を参照して説明したマルチキャリア受信機７１７を含むことができる。
【００８９】
さらに、システム１０００は、電気的構成要素１００２に関連する機能を実行するためのコードおよび／または命令を記憶するための電気的構成要素１００４を含むことができる。電気的構成要素１００４は、限定はしないが、メモリ、コンピュータ可読媒体、および／または図３を参照して説明したメモリ３１２、３２８、図５を参照して説明したメモリ５０６、５１２、図６を参照して説明したメモリユニット６０８、および／または図７を参照して説明したメモリユニット７１０を含むことができる。記憶するための電気的構成要素１１０４の外部にあるものとして示されているが、電気的構成要素１００２は、記憶するための電気的構成要素１００４内に含まれ得ることを理解されたい。
【００９０】
図１１を参照すると、ＤＲＸを容易にするシステムが示される。例えば、システム１１００は、限定はしないが、それぞれ図１、図３、図５、図６および図７を参照して説明したＵＥ１２２、１２２’、１２２’’、１２２’’’、１２２’’’’を含むＵＥ内に常駐できる。システム１１００は機能ブロックを含むものとして表されており、この機能ブロックは、プロセッサ、ハードウェア、ソフトウェア、ファームウェア、またはこれらの組合せによって実施される機能を表す機能ブロックであってよいことを認識されたい。システム１１００は、連携して働くことができる電気的構成要素の論理グルーピング１１０２を含むことができる。例えば、論理グルーピング１１０２は、複数の時間および周波数パラメータに基づいてＤＲＸ制御情報を生成するための電気的構成要素を含むことができる。生成されたＤＲＸ制御情報は複数のＤＲＸレベルに対応し得る（１１０４）。いくつかの実施形態では、ＤＲＸ制御情報を生成するための電気的構成要素１１０４が、限定はしないが、図１を参照して説明したＢＳ１０２、図３を参照して説明したＤＲＸネットワーク制御ユニット３０２、または図５を参照して説明した制御ユニット５０２を含むことができる。
【００９１】
さらに、論理グルーピング１１０２は、生成されたＤＲＸ制御情報を出力するための電気的構成要素１１０６を含むことができる。いくつかの実施形態では、電気的構成要素１１０６が、限定はしないが、送信機、トランシーバ、または図３を参照して説明した通信ユニット３０６を含むことができる。
【００９２】
その上、論理グルーピング１１０２は、通信するための電気的構成要素１１０８を含むことができる。通信するための電気的構成要素１１０４は、データのマルチキャリア受信を実行可能であり得る。通信するための電気的構成要素は、ＤＲＸ制御情報を生成する手段１１０４に通信可能に結合され得る。通信するための電気的構成要素１１０４は、出力するための電気的構成要素１１０６から出力されたＤＲＸ制御情報を受信するように構成され得る。通信するための電気的構成要素１１０４は通信するための電気的構成要素１１０４が複数のＤＲＸレベルのうちの１つに従ってマルチキャリア受信を実行するように構成される１つまたは複数の周波数キャリア上でＤＲＸを実行するように構成されることもできる。選択された周波数キャリアはアンカーキャリアであり得る。
【００９３】
いくつかの実施形態では、通信するための電気的構成要素１１０４がさらに、通信するための電気的構成要素１１０４がＤＲＸを実行する時間間隔中に、選択された周波数キャリア上で連続受信を実行するように構成され得る。
【００９４】
いくつかの実施形態では、通信するための電気的構成要素１１０８が、限定はしないが、受信機、トランシーバ、またはそれぞれ図１、図３、図５、図６および図７を参照して説明したＵＥ１２２、１２２’、１２２’’、１２２’’’、１２２’’’’、または図６を参照して説明した通信ユニット６０６を含むことができる。
【００９５】
さらに、システム１１００は、電気的構成要素１１０４、１１０６および／または１１０８に関連する機能を実行するためのコードおよび／または命令を記憶するための電気的構成要素１１１０を含むことができる。電気的構成要素１１１０は、限定はしないが、メモリ、コンピュータ可読媒体、および／または図３を参照して説明したメモリ３１２、３２８、図５を参照して説明したメモリ５０６、５１２、図６を参照して説明したメモリユニット６０８、および／または図７を参照して説明したメモリユニット７１０を含むことができる。記憶するための電気的構成要素１１１４の外部にあるものとして示されているが、１つまたは複数の電気的構成要素１１０４、１１０６および／または１１０８は、記憶するための電気的構成要素１１１０内に含まれ得ることを理解されたい。
【００９６】
図１２を参照すると、ＤＲＸを容易にするシステムが示される。例えば、システム１２００は、限定はしないが、それぞれ図１、図３、図５、図６および図７を参照して説明したＵＥ１２２、１２２’、１２２’’、１２２’’’、１２２’’’’を含むＵＥ内に常駐できる。システム１２００は機能ブロックを含むものとして表されており、この機能ブロックは、プロセッサ、ハードウェア、ソフトウェア、ファームウェア、またはこれらの組合せによって実施される機能を表す機能ブロックであってよいことを認識されたい。システム１２００は、ＤＲＸを実行するための電気的構成要素の論理または物理グルーピング１２０２を含むことができる。電気的構成要素は、連携して働くことができる。例えば、論理または物理グルーピング１２０２は、コンテンツを受信するための電気的構成要素１２０４を含むことができる。コンテンツを受信するための電気的構成要素１２０４は、１つまたは複数の周波数キャリア上のデータを受信すると共にＤＲＸ構成情報を受信するためのものであり得る。いくつかの実施形態では、コンテンツを受信するための電気的構成要素のための電気的構成要素１２０４が、限定はしないが、受信機、トランシーバ、またはそれぞれ図１、図３、図５、図６および図７を参照して説明したＵＥ１２２、１２２’、１２２’’、１２２’’’、１２２’’’’、図６を参照して説明した通信ユニット６０６、または図７を参照して説明したマルチキャリア受信機７１７を含むことができる。
【００９７】
さらに、論理または物理グルーピング１２０２は、データを受信するための１つまたは複数の周波数キャリアを選択するための電気的構成要素１２０６を含むことができる。いくつかの実施形態では、電気的構成要素１２０６が、限定はしないが、図３を参照して説明した周波数キャリア選択ユニット３２２、図１、図３、図５、図６および図７をそれぞれ参照して説明したＵＥ１２２、１２２’、１２２’’、１２２’’’、１２２’’’’、図６を参照して説明した通信ユニット６０６、または図７を参照して説明したマルチキャリア受信機７１７を含むことができる。
【００９８】
さらに、論理または物理グルーピング１２０２は、論理または物理グルーピング１２０２のアウェイク期間およびスリープ期間を制御するための電気的構成要素１２０８を含むことができる。いくつかの実施形態では、電気的構成要素１２０８が、限定はしないが、図３を参照して説明したアウェイクスリープ期間制御ユニット３２４、図１、図２、図３または図５を参照して説明したＵＥ１２２、または図６を参照して説明した通信ユニット６０６を含むことができる。
【００９９】
さらに、論理または物理グルーピング１２０２は、論理または物理グルーピング１２０２の非アクティビティ期間を評価するための電気的構成要素１２１０を含むことができる。いくつかの実施形態では、電気的構成要素１２１０が、限定はしないが、図３を参照して説明した非アクティビティ期間、それぞれ図１、図３、図５、図６および図７を参照して説明したＵＥ１２２、１２２’、１２２’’、１２２’’’、１２２’’’’、または図６を参照して説明した通信ユニット６０６を含むことができる。
【０１００】
さらに、システム１２００は、論理または物理グルーピング１２０２および／または電気的構成要素１２０４、１２０６、１２０８および／または１２１０に関連する機能を実行するための、受信されたＤＲＸ構成情報、コードおよび／または命令を記憶するための電気的構成要素１２１２を含むことができる。電気的構成要素１２１２は、限定はしないが、メモリ、コンピュータ可読媒体、および／または図３を参照して説明したメモリ３１２、３２８、図５を参照して説明したメモリ５０６、５１２、図６を参照して説明したメモリユニット６０８、および／または図７を参照して説明したメモリユニット７１０を含むことができる。記憶するための電気的構成要素１１１４の外部にあるものとして示されているが、電気的構成要素１２０４、１２０６、１２０８および／または１２１０のうちの１つまたは複数は、記憶するための電気的構成要素１２１２内に含まれ得ることを理解されたい。
【０１０１】
いくつかの実施形態では、ＤＲＸ構成情報が、非アクティビティ期間と、コンテンツを受信するための電気的構成要素１２０４において情報を受信するための対応する１つまたは複数の周波数キャリアとを示す情報を含むことができる。いくつかの実施形態では、コンテンツを受信するための電気的構成要素１２０４が、データを受信すると共にＤＲＸ構成情報を受信するためのＢＳに通信可能に結合されたＵＥであり得る。
【０１０２】
図１３〜図１６に、それぞれ、本明細書で明らかにされる様々な態様に従ってＤＲＸを容易にする方法の一例を示す。図１３を参照すると、ＤＲＸを容易にする方法１３００が与えられている。方法１３００は、第１の装置において、複数の時間および周波数パラメータに基づいてＤＲＸ制御情報を生成すること１３０２を含むことができる。生成されたＤＲＸ制御情報は複数のＤＲＸレベルに対応し得る。方法１３００は生成されたＤＲＸ制御情報を出力すること１３０４と、データのマルチキャリア受信を実行することが可能な第２の装置において、出力されたＤＲＸ制御情報を受信すること１３０６とを含むこともできる。方法１３００は第２の装置が複数のＤＲＸレベルのうちの１つに従ってマルチキャリア受信を実行するように構成される１つまたは複数の周波数キャリア上で、ＤＲＸを実行すること１３０８を含むこともできる。
【０１０３】
図１４を参照すると、ＤＲＸを容易にする方法１４００が提供される。この方法は、１つまたは複数の非アクティビティ期間にそれぞれ対応する１つまたは複数のＤＲＸサイクルを与えるための複数のコンピュータ実行可能命令を実行するプロセッサを使用すること１４０２を含むことができる。１つまたは複数のＤＲＸサイクルの該当アウェイク期間中、１つまたは複数の周波数キャリアの各々上のデータが受信され得る。いくつかの実施形態では、１つまたは複数の周波数キャリアの各々がアンカーキャリアまたは非アンカーキャリアであり得る。
【０１０４】
１つまたは複数のＤＲＸサイクルは第１のＤＲＸサイクルおよび第２のＤＲＸサイクルを含むことができ、１つまたは複数の非アクティビティ期間は第１の非アクティビティ期間および第２の非アクティビティ期間を含むことができる。いくつかの実施形態では、第１の非アクティビティ期間が第２の非アクティビティ期間よりも短くなり得る。
【０１０５】
いくつかの実施形態では、非アクティビティ期間の長さが別の非アクティビティ期間の長さの倍数であり得る。限定ではなく、例として、第２の非アクティビティ期間の長さは第１の非アクティビティ期間の長さの倍数であり得る（またはその逆も同様）。
【０１０６】
いくつかの実施形態において、各周波数キャリアの非アクティビティ期間は周波数キャリア上のアクティビティに基づいて増加または減少できる。データフローが周波数キャリア上にある場合、アクティビティは周波数キャリア上にあると見なされ得る。限定ではなく、例として、各周波数キャリアの非アクティビティ期間は該当周波数キャリア上のデータフローの量に基づいて増加または減少できる。これら実施形態では、非アクティビティ期間の増加または減少が、異なる周波数キャリアでは異なり得る。様々な実施形態では、（周波数キャリアの以前の非アクティビティ期間を増加または減少させた後の周波数キャリアの非アクティビティ期間であり得る）周波数キャリアの新しい非アクティビティ期間が周波数キャリアの初期の、またはベースラインの非アクティビティ期間の倍数であり得る。
【０１０７】
方法１４００のいくつかの実施形態では、１つまたは複数のＤＲＸサイクルが第１のＤＲＸサイクルを含む。いくつかの実施形態では、第１のＤＲＸサイクルのアウェイク期間中、１つまたは複数の周波数キャリアの各々が監視され得る。方法１４００のいくつかの実施形態では、１つまたは複数のＤＲＸサイクルが第１のＤＲＸサイクルを含むことができる。いくつかの実施形態では、第１のＤＲＸサイクルのアウェイク期間中、ただ１つの周波数キャリアが監視される。方法１４００のいくつか実施形態では、第１のＤＲＸサイクルのアウェイク期間中、１つまたは複数の周波数キャリアの各々が監視され、第２のＤＲＸサイクルのアウェイク期間中、ただ１つの周波数キャリアが監視される。
【０１０８】
方法１４００のいくつか実施形態では、第１の数の周波数キャリアが第１のＤＲＸサイクルのアウェイク期間中監視されることができ、第２の数の周波数キャリアが第２のＤＲＸサイクルのアウェイク期間中監視されることができる。周波数キャリアの第１の数は周波数キャリアの第２の数よりも大きくなり得る。
【０１０９】
この方法は複数の周波数キャリアのうちの１つ上で連続受信を行うためにプロセッサを使用することを含むこともできる。複数の周波数キャリアのうちの１つはアンカーキャリアに対応し得る。
【０１１０】
図１５は、マルチキャリアワイヤレス通信システムにおいてＵＥでのＤＲＸレベルを与えることを容易にする例示的な方法を示している。図示の実施形態では、現在の非アクティビティ期間が１５０２で判断される。１５０４において、非アクティビティ期間に対応するＤＲＸサイクル長が判断される。いくつかの実施形態では、ＤＲＸサイクル長の判断がＤＲＸサイクル長に関連するアウェイク期間および／またはスリープ期間の判断を含むことができる。１５０８において、ＤＲＸサイクル長に対応する周波数キャリアを選択できる。１５１０において、ＤＲＸサイクル長に対応するアウェイク期間中、選択された周波数キャリアを監視し、この周波数キャリア上のデータを受信できる。図３に関して、上述の方法はＵＥ１２２’において実行され得る。他の実施形態では、上述の方法が、限定はしないが、それぞれ図１、図５、図６および図７を参照して説明したＵＥ１２２、１２２’’、１２２’’’、１２２’’’’を含み本明細書で説明された任意のＵＥにおいて実行され得る。
【０１１１】
ＵＥ１２２、１２２’、１２２’’、１２２’’’、１２２’’’’におけるＤＲＸのための別の方法は、以下の通りであり得る。第１、第２および第３の非アクティビティ期間の各々の後、それぞれ、ＵＥ１２２、１２２’、１２２’’、１２２’’’、１２２’’’’は、ＵＥ１２２が、第１、第２または第３の該当ＤＲＸサイクルに従って動作し、ＤＲＸサイクルに対応するアウェイク期間中、１つまたは複数の周波数キャリアの第１、第２または第３の該当セットを監視する、第１、第２または第３の該当状態に遷移する。
【０１１２】
一実施形態において、第１、第２および第３の非アクティビティ期間は増加する長さを有し得るもので、第１、第２および第３のＤＲＸサイクルも、第１のＤＲＸサイクルが第２のＤＲＸサイクルよりも短くなり、第２のＤＲＸサイクルが第３のＤＲＸサイクルよりも短くなるように増加する長さを有し得るものである。
【０１１３】
第１の非アクティビティ期間後、ＤＲＸ動作は、第１のＤＲＸサイクルに対応するアウェイク期間中周波数キャリアの各々上のデータを監視し受信することを含むことができる。
【０１１４】
第２の非アクティビティ期間後、ＤＲＸ動作が第２のＤＲＸサイクルに対応するアウェイク期間中単一の周波数キャリア上でのみデータを監視し受信することを含むように状態の遷移が行われ得る。いくつかの実施形態では、単一の周波数キャリアがアンカーキャリアである。
【０１１５】
第３の非アクティビティ期間後、ＤＲＸ動作が第３のＤＲＸサイクルに対応するアウェイク期間中同じく単一の周波数キャリア上でのみデータを監視し受信することを含むように状態の遷移が行われ得る。いくつかの実施形態では、単一の周波数キャリアが非アンカーキャリアである。
【０１１６】
いくつかの実施形態では、第２または第３の非アクティビティ期間後、ＤＲＸ動作が、ＤＲＸサイクルに対応するアウェイク期間中同じく周波数キャリアのセットのうちのサブセット上でのみデータを監視し受信することを含むように状態の遷移が行われ得る。図３を参照すると、サブセットは、様々な実施形態において、ＵＥ１２２’および／またはＤＲＸネットワーク制御ユニット３０２によって判断され得る。他の実施形態では、サブセットがＵＥ１２２、１２２’’、１２２’’’、１２２’’’’によって判断され得る。
【０１１７】
図１６に関して、方法の１つの特定の実施形態が示される。図１６を参照すると、ＤＲＸを容易にする方法１６００が与えられている。方法１６００は、第１の非アクティビティ期間に応答して、第１のＤＲＸサイクルが与えられ、マルチキャリアワイヤレスシステムの複数の周波数キャリアのうちの第１の１つまたは複数の周波数キャリアが、第１のＤＲＸサイクルのアウェイク期間中、データを受信するために監視される、第１の状態で動作すること１６０２を含むことができる。
【０１１８】
方法１６００は、第２の非アクティビティ期間に応答して、第２のＤＲＸサイクルが与えられ、マルチキャリアワイヤレスシステムの複数の周波数キャリアのうちの第２の１つまたは複数の周波数キャリアが、第２のＤＲＸサイクルのアウェイク期間中、データを受信するために監視される、第２の状態で動作すること１６０４を含むこともできる。
【０１１９】
方法１６００は第３の非アクティビティ期間に応答して、第３のＤＲＸサイクルが与えられ、マルチキャリアワイヤレスシステムの複数の周波数キャリアのうちの第３の１つまたは複数の周波数キャリアが、第３のＤＲＸサイクルのアウェイク期間中、データを受信するために監視される、第３の状態で動作すること１６０６を含むこともできる。
【０１２０】
いくつかの実施形態では、第１の非アクティビティ期間が第２の非アクティビティ期間よりも短くなり、および／または第２の非アクティビティ期間が第３の非アクティビティ期間よりも短くなり得る。
【０１２１】
いくつかの実施形態では、第１のＤＲＸサイクルが第２のＤＲＸサイクルよりも短くなり、および／または第２のＤＲＸサイクルが第３のＤＲＸサイクルよりも短くなり得る。
【０１２２】
様々な実施形態では、本明細書で説明する方法ステップおよび／または機能を実行するためのコードを備えるコンピュータ可読媒体を有するコンピュータプログラム製品が利用され得る。例えば、第１のコンピュータプログラム製品が提供され得る。本コンピュータプログラム製品はコンピュータ可読媒体を含むことができる。コンピュータ可読媒体は、１つまたは複数の非アクティビティ期間にそれぞれ対応する１つまたは複数のＤＲＸサイクルを与えるためのコードを含むことができる。１つまたは複数のＤＲＸサイクルの該当アウェイク期間中、１つまたは複数の周波数キャリアの各々がデータ受信のために監視され得る。いくつかの実施形態では、１つまたは複数の周波数キャリアの各々がアンカーキャリアまたは非アンカーキャリアであり得る。
【０１２３】
いくつかの実施形態では、１つまたは複数のＤＲＸサイクルが第１のＤＲＸサイクルおよび第２のＤＲＸサイクルを含むことができ、１つまたは複数の非アクティビティ期間は第１の非アクティビティ期間および第２の非アクティビティ期間を含むことができる。第１の非アクティビティ期間は第２の非アクティビティ期間よりも短くなり得る。
【０１２４】
いくつかの実施形態では、１つまたは複数のＤＲＸサイクルが第１のＤＲＸサイクルを含むことができる。第１のＤＲＸサイクルのアウェイク期間中、１つまたは複数の周波数キャリアの各々が監視され得る。いくつかの実施形態では、１つまたは複数のＤＲＸサイクルが第１のＤＲＸサイクルを含むことができる。これら実施形態では、ただ１つの周波数キャリアが第１のＤＲＸサイクルのアウェイク期間中監視される。
【０１２５】
いくつか実施形態では、第１のＤＲＸサイクルのアウェイク期間中、１つまたは複数の周波数キャリアの各々が監視され、第２のＤＲＸサイクルのアウェイク期間中、いくつか実施形態では、ただ１つの周波数キャリアが監視される。
【０１２６】
いくつか実施形態では、第１のＤＲＸサイクルのアウェイク期間中、周波数キャリアの第１の数が監視されることができ、第２のＤＲＸサイクルのアウェイク期間中、周波数キャリアの第２の数が監視されることができる。周波数キャリアの第１の数は周波数キャリアの第２の数よりも大きくなり得る。
【０１２７】
いくつかの実施形態では、コンピュータ可読媒体が複数の周波数キャリアのうちの１つ上で連続受信を行うためのコードを含むこともできる。複数の周波数キャリアのうちの１つはアンカーキャリアに対応し得る。
【０１２８】
別の例として、コンピュータプログラム製品が提供される。本コンピュータプログラム製品はコンピュータ可読媒体を含むことができる。本コンピュータ可読媒体は、第１の非アクティビティ期間に応答して第１の状態で動作するためのコードを含むことができる。第１のＤＲＸサイクルが与えられることができ、マルチキャリアワイヤレスシステムの複数の周波数キャリアのうちの第１の１つまたは複数の周波数キャリアが第１のＤＲＸサイクルのアウェイク期間中データを受信するために監視され得る。
【０１２９】
コンピュータ可読媒体は第２の非アクティビティ期間に応答して第２の状態で動作するためのコードを含むこともできる。第２のＤＲＸサイクルが与えられることができ、マルチキャリアワイヤレスシステムの複数の周波数キャリアのうちの第２の１つまたは複数の周波数キャリアが第２のＤＲＸサイクルのアウェイク期間中データを受信するために監視され得る。
【０１３０】
コンピュータ可読媒体は第３の非アクティビティ期間に応答して第３の状態で動作するためのコードを含むこともできる。第３のＤＲＸサイクルが与えられることができ、マルチキャリアワイヤレスシステムの複数の周波数キャリアのうちの第３の１つまたは複数の周波数キャリアが第３のＤＲＸサイクルのアウェイク期間中データを受信するために監視され得る。
【０１３１】
いくつかの実施形態では、第１の非アクティビティ期間が第２の非アクティビティ期間よりも短くなり、第２の非アクティビティ期間が第３の非アクティビティ期間よりも短くなり得る。いくつかの実施形態では、第１のＤＲＸサイクルが第２のＤＲＸサイクルよりも短くなり、第２のＤＲＸサイクルが第３のＤＲＸサイクルよりも短くなり得る。
【０１３２】
本明細書で説明する実施形態は、ハードウェア、ソフトウェア、ファームウェア、ミドルウェア、マイクロコード、またはこれらの任意の組合せで実施され得ることを理解されたい。ハードウェア実施の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、および／または本明細書で説明する機能を実行するように設計された他の電子ユニット、またはこれらの組合せ内で実施され得る。
【０１３３】
実施形態は、ソフトウェア、ファームウェア、ミドルウェアまたはマイクロコード、プログラムコードまたはコードセグメントで実施された場合、ストレージ構成要素などの機械可読媒体（またはコンピュータ可読媒体）に記憶され得る。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む適切な手段を使用してパス、フォワーディング、または送信できる。
【０１３４】
ソフトウェア実施の場合、本明細書で説明する技術は、本明細書で説明する機能を実行するモジュール（例えば、プロシージャ、関数など）を用いて実施され得る。ソフトウェアコードは、メモリユニットに記憶され、プロセッサによって実行され得る。メモリユニットは、プロセッサの内部またはプロセッサの外部において実施されることができ、この場合、当技術分野で知られているように様々な手段によってプロセッサに通信可能に結合され得る。
【０１３５】
以上の説明は、１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識できよう。従って、説明した実施形態は、添付の特許請求の範囲の趣旨および範囲内に入るすべてのこうした代替、変形および変種を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。
【図１】
2014131303.tif 000007
【図２】
2014131303.tif 000008
【図３】
2014131303.tif 000009
【図４】
2014131303.tif 000010
【図５】
2014131303.tif 000011
【図６】
2014131303.tif 000012
【図７】
2014131303.tif 000013
【図８】
2014131303.tif 000014
【図９】
2014131303.tif 000015
【図１０】
2014131303.tif 000016
【図１１】
2014131303.tif 000017
【図１２】
2014131303.tif 000018
【図１３】
2014131303.tif 000019
【図１４】
2014131303.tif 000020
【図１５】
2014131303.tif 000021
【図１６】
2014131303.tif 000022
【手続補正書】
【提出日】平成26年3月5日(2014.3.5)
【手続補正１】
【補正対象書類名】特許請求の範囲
【補正対象項目名】全文
【補正方法】変更
【補正の内容】
【特許請求の範囲】
【請求項１】
不連続受信を容易にする方法であって、
第１の非アクティビティ期間に応答して、第１の不連続受信サイクルが与えられ、マルチキャリアワイヤレスシステムの複数の周波数キャリアのうちの第１の１つまたは複数の周波数キャリアが、前記第１の不連続受信サイクルのアウェイク期間中、データを受信するために監視される第１の状態で動作することと、
第２の非アクティビティ期間に応答して、第２の不連続受信サイクルが与えられ、前記マルチキャリアワイヤレスシステムの前記複数の周波数キャリアのうちの第２の１つまたは複数の周波数キャリアが、前記第２の不連続受信サイクルのアウェイク期間中、データを受信するために監視される第２の状態で動作することと、
第３の非アクティビティ期間に応答して、第３の不連続受信サイクルが与えられ、前記マルチキャリアワイヤレスシステムの前記複数の周波数キャリアのうちの第３の１つまたは複数の周波数キャリアが、前記第３の不連続受信サイクルのアウェイク期間中、データを受信するために監視される第３の状態で動作することと、
を備える方法。
【請求項２】
前記第１の非アクティビティ期間は前記第２の非アクティビティ期間よりも短く、前記第２の非アクティビティ期間は前記第３の非アクティビティ期間よりも短い、請求項１に記載の方法。
【請求項３】
前記第１の不連続受信サイクルは前記第２の不連続受信サイクルよりも短く、前記第２の不連続受信サイクルは前記第３の不連続受信サイクルよりも短い、請求項２に記載の方法。
【請求項４】
コンピュータによって実行可能なプログラムを格納したコンピュータ可読記憶媒体であって、前記プログラムは、
第１の非アクティビティ期間に応答して、第１の不連続受信サイクルが与えられ、マルチキャリアワイヤレスシステムの複数の周波数キャリアのうちの第１の１つまたは複数の周波数キャリアが、前記第１の不連続受信サイクルのアウェイク期間中、データを受信するために監視される、第１の状態で動作するためのコードと、
第２の非アクティビティ期間に応答して、第２の不連続受信サイクルが与えられ、前記マルチキャリアワイヤレスシステムの前記複数の周波数キャリアのうちの第２の１つまたは複数の周波数キャリアが、前記第２の不連続受信サイクルのアウェイク期間中、データを受信するために監視される、第２の状態で動作するためのコードと、
第３の非アクティビティ期間に応答して、第３の不連続受信サイクルが与えられ、前記マルチキャリアワイヤレスシステムの前記複数の周波数キャリアのうちの第３の１つまたは複数の周波数キャリアが、前記第３の不連続受信サイクルのアウェイク期間中、データを受信するために監視される、第３の状態で動作するためのコードと、
を備える、コンピュータ可読記憶媒体。
【請求項５】
前記第１の非アクティビティ期間は前記第２の非アクティビティ期間よりも短く、前記第２の非アクティビティ期間は前記第３の非アクティビティ期間よりも短い、請求項４に記載のコンピュータ可読記憶媒体。
【請求項６】
前記第１の不連続受信サイクルは前記第２の不連続受信サイクルよりも短く、前記第２の不連続受信サイクルは前記第３の不連続受信サイクルよりも短い、請求項５のコンピュータ可読記憶媒体。
【手続補正２】
【補正対象書類名】明細書
【補正対象項目名】００７０
【補正方法】変更
【補正の内容】
【００７０】
図示の実施形態では、ＵＥ１２２’が通信ユニット３１８と、ＤＲＸ制御ユニット３２０と、受信されたＤＲＸ構成情報３３０を記憶するように構成されるメモリ３２８とを含む。いくつかの実施形態では、受信されたＤＲＸ構成情報３３０がＤＲＸ構成生成ユニット３０８によって生成されたＤＲＸ構成情報３１４と同じである。ＤＲＸ制御ユニット３２２は、ＤＲＸ構成情報３１４に基づいてＵＥ１２２’の時間ベースおよび周波数ベースＤＲＸ動作を制御するように適応された、任意のハードウェア、ソフトウェア、またはこれらの組合せであり得る。一実施形態では、ＤＲＸ制御ユニット３２０が、ＵＥ１２２’において経験された非アクティビティ期間の長さを監視し、判断するように構成される非アクティビティ期間評価ユニット３２６と、ＵＥ１２２’によって実行されているかまたは実行されるべきＤＲＸ動作を生成するために結合しなければならない、対応するアウェイク期間およびスリープ期間を判断するように構成されるアウェイクスリープ期間制御ユニット３２４と、ＵＥ１２２’に、ＵＥ１２２’のＤＲＸ動作に従ってデータを監視し受信するために様々な周波数キャリアを選択させるように構成される周波数キャリア選択ユニット３２２とを含む。従って、ＤＲＸ制御ユニット３２０は、ＤＲＸネットワーク制御ユニット３０２から受信されたＤＲＸ構成情報３１４に従ってＵＥ１２２’のＤＲＸ動作を制御する。
【手続補正３】
【補正対象書類名】明細書
【補正対象項目名】００９２
【補正方法】変更
【補正の内容】
【００９２】
その上、論理グルーピング１１０２は、通信するための電気的構成要素１１０８を含むことができる。通信するための電気的構成要素１１０８は、データのマルチキャリア受信を実行可能であり得る。通信するための電気的構成要素は、ＤＲＸ制御情報を生成する手段１１０４に通信可能に結合され得る。通信するための電気的構成要素１１０８は、出力するための電気的構成要素１１０６から出力されたＤＲＸ制御情報を受信するように構成され得る。通信するための電気的構成要素１１０８は通信するための電気的構成要素１１０８が複数のＤＲＸレベルのうちの１つに従ってマルチキャリア受信を実行するように構成される１つまたは複数の周波数キャリア上でＤＲＸを実行するように構成されることもできる。選択された周波数キャリアはアンカーキャリアであり得る。
【手続補正４】
【補正対象書類名】明細書
【補正対象項目名】００９３
【補正方法】変更
【補正の内容】
【００９３】
いくつかの実施形態では、通信するための電気的構成要素１１０８がさらに、通信するための電気的構成要素１１０８がＤＲＸを実行する時間間隔中に、選択された周波数キャリア上で連続受信を実行するように構成され得る。
【手続補正５】
【補正対象書類名】明細書
【補正対象項目名】００９５
【補正方法】変更
【補正の内容】
【００９５】
さらに、システム１１００は、電気的構成要素１１０４、１１０６および／または１１０８に関連する機能を実行するためのコードおよび／または命令を記憶するための電気的構成要素１１１０を含むことができる。電気的構成要素１１１０は、限定はしないが、メモリ、コンピュータ可読媒体、および／または図３を参照して説明したメモリ３１２、３２８、図５を参照して説明したメモリ５０６、５１２、図６を参照して説明したメモリユニット６０８、および／または図７を参照して説明したメモリユニット７１０を含むことができる。記憶するための電気的構成要素１１１０の外部にあるものとして示されているが、１つまたは複数の電気的構成要素１１０４、１１０６および／または１１０８は、記憶するための電気的構成要素１１１０内に含まれ得ることを理解されたい。
【手続補正６】
【補正対象書類名】明細書
【補正対象項目名】００９６
【補正方法】変更
【補正の内容】
【００９６】
図１２を参照すると、ＤＲＸを容易にするシステムが示される。例えば、システム１２００は、限定はしないが、それぞれ図１、図３、図５、図６および図７を参照して説明したＵＥ１２２、１２２’、１２２’’、１２２’’’、１２２’’’’を含むＵＥ内に常駐できる。システム１２００は機能ブロックを含むものとして表されており、この機能ブロックは、プロセッサ、ハードウェア、ソフトウェア、ファームウェア、またはこれらの組合せによって実施される機能を表す機能ブロックであってよいことを認識されたい。システム１２００は、ＤＲＸを実行するための電気的構成要素の論理または物理グルーピング１２０２を含むことができる。電気的構成要素は、連携して働くことができる。例えば、論理または物理グルーピング１２０２は、コンテンツを受信するための電気的構成要素１２０４を含むことができる。コンテンツを受信するための電気的構成要素１２０４は、１つまたは複数の周波数キャリア上のデータを受信すると共にＤＲＸ構成情報を受信するためのものであり得る。いくつかの実施形態では、コンテンツを受信するための電気的構成要素１２０４が、限定はしないが、受信機、トランシーバ、またはそれぞれ図１、図３、図５、図６および図７を参照して説明したＵＥ１２２、１２２’、１２２’’、１２２’’’、１２２’’’’、図６を参照して説明した通信ユニット６０６、または図７を参照して説明したマルチキャリア受信機７１７を含むことができる。
【手続補正７】
【補正対象書類名】明細書
【補正対象項目名】０１００
【補正方法】変更
【補正の内容】
【０１００】
さらに、システム１２００は、論理または物理グルーピング１２０２および／または電気的構成要素１２０４、１２０６、１２０８および／または１２１０に関連する機能を実行するための、受信されたＤＲＸ構成情報、コードおよび／または命令を記憶するための電気的構成要素１２１２を含むことができる。電気的構成要素１２１２は、限定はしないが、メモリ、コンピュータ可読媒体、および／または図３を参照して説明したメモリ３１２、３２８、図５を参照して説明したメモリ５０６、５１２、図６を参照して説明したメモリユニット６０８、および／または図７を参照して説明したメモリユニット７１０を含むことができる。記憶するための電気的構成要素１２１２の外部にあるものとして示されているが、電気的構成要素１２０４、１２０６、１２０８および／または１２１０のうちの１つまたは複数は、記憶するための電気的構成要素１２１２内に含まれ得ることを理解されたい。
【手続補正８】
【補正対象書類名】明細書
【補正対象項目名】０１３５
【補正方法】変更
【補正の内容】
【０１３５】
以上の説明は、１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識できよう。従って、説明した実施形態は、添付の特許請求の範囲の趣旨および範囲内に入るすべてのこうした代替、変形および変種を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。
以下に、本願出願の当初の特許請求の範囲に記載された発明を付記する。
[Ｃ１]
装置であって、
前記装置の１つまたは複数の非アクティビティ期間と、
前記装置がデータを監視し受信するように構成される１つまたは複数のセットの周波数キャリアと、
を示す複数のパラメータに少なくとも基づいて不連続受信を実行する制御ユニットを備える装置。
[Ｃ２]
前記制御ユニットは、
前記１つまたは複数の非アクティビティ期間のうちの第１の非アクティビティ期間の後に、前記１つまたは複数のセットの周波数キャリアのうちの第１のセットを監視することに対応する第１の状態で動作し、
前記１つまたは複数の非アクティビティ期間のうちの第２の非アクティビティ期間の後に、前記１つまたは複数のセットの周波数キャリアのうちの第２のセットを監視することに対応する第２の状態で動作するものでもある、Ｃ１に記載の装置。
[Ｃ３]
前記制御ユニットは、前記装置のアンカーキャリアに対応する周波数キャリア上で連続受信を実行するものでもある、Ｃ１に記載の装置。
[Ｃ４]
前記制御ユニットに通信可能に結合されたネットワーク制御ユニットで生成された不連続受信構成情報を受信する通信ユニットをさらに備える、Ｃ１に記載の装置。
[Ｃ５]
前記装置の１つまたは複数の非アクティビティ期間と、
前記装置がデータを監視し受信するように構成される１つまたは複数のセットの周波数キャリアと、
を示す複数のパラメータに少なくとも基づいて不連続受信を実行する手段を備える装置。
[Ｃ６]
不連続受信を実行する前記手段は、
前記１つまたは複数の非アクティビティ期間のうちの第１の非アクティビティ期間の後に、前記１つまたは複数のセットの周波数キャリアのうちの第１のセットを監視することに対応する第１の状態で動作し、
前記１つまたは複数の非アクティビティ期間のうちの第２の非アクティビティ期間の後に、前記１つまたは複数のセットの周波数キャリアのうちの第２のセットを監視することに対応する第２の状態で動作するものでもある、Ｃ５に記載の装置。
[Ｃ７]
不連続受信を実行する前記手段は、
前記装置のアンカーキャリアに対応する周波数キャリア上で連続受信を実行するものでもある、Ｃ５に記載の装置。
[Ｃ８]
不連続受信を実行する前記手段に通信可能に結合された不連続受信を制御する手段で生成された不連続受信構成情報を受信する、通信のための手段をさらに備える、Ｃ５に記載の装置。
[Ｃ９]
選択された１つまたは複数の周波数キャリアと、マルチキャリア受信機の選択された非アクティビティ期間とを示す複数のパラメータを含む不連続受信構成情報に基づいて、前記マルチキャリア受信機の前記選択された非アクティビティ期間の後に、前記選択された１つまたは複数の周波数キャリア上のデータを同時に受信するマルチキャリア受信機を備える装置。
[Ｃ１０]
選択された１つまたは複数の周波数キャリア上のデータを同時に受信する手段を備え、
受信はデータを同時に受信する前記手段の選択された非アクティビティ期間の後であって、前記選択された１つまたは複数の周波数キャリアと、データを同時に受信する前記手段の前記選択された非アクティビティ期間とを示す複数のパラメータを含む不連続受信構成情報に基づくものである装置。
[Ｃ１１]
複数の時間ベースおよび周波数ベースパラメータを含む不連続受信構成情報に従って不連続受信を実行する制御ユニットを備える装置。
[Ｃ１２]
複数の時間ベースおよび周波数ベースパラメータを含む不連続受信構成情報に従って不連続受信を実行する手段を備える装置。
[Ｃ１３]
不連続受信を容易にする方法であって、
１つまたは複数の非アクティビティ期間にそれぞれ対応する１つまたは複数の不連続受信サイクルを与えるための複数のコンピュータ実行可能命令を実行するプロセッサを使用することを備え、１つまたは複数の不連続受信サイクルの該当アウェイク期間中、データが１つまたは複数の周波数キャリアの各々上で受信される方法。
[Ｃ１４]
前記１つまたは複数の不連続受信サイクルは第１の不連続受信サイクルおよび第２の不連続受信サイクルを備え、前記１つまたは複数の非アクティビティ期間は前記第１の不連続受信サイクルおよび前記第２の不連続受信サイクルにそれぞれ対応する第１の非アクティビティ期間および第２の非アクティビティ期間を備え、前記第１の非アクティビティ期間は前記第２の非アクティビティ期間よりも短い、Ｃ１３に記載の方法。
[Ｃ１５]
前記１つまたは複数の不連続受信サイクルは第１の不連続受信サイクルを備え、前記第１の不連続受信サイクルのアウェイク期間中、１つまたは複数の周波数キャリアの各々が監視される、Ｃ１３に記載の方法。
[Ｃ１６]
前記１つまたは複数の非アクティビティ期間のうちの第１の非アクティビティ期間が１つまたは複数の周波数キャリアに該当するもののうちの第１の周波数キャリアに関連し、前記１つまたは複数の非アクティビティ期間のうちの第２の非アクティビティ期間は１つまたは複数の周波数キャリアに該当するもののうちの第２の周波数キャリアに関連し、
前記１つまたは複数の非アクティビティ期間のうちの前記第１の非アクティビティ期間は前記１つまたは複数の非アクティビティ期間のうちの第２の非アクティビティ期間の倍数であり、
前記１つまたは複数の非アクティビティ期間のうちの前記第１の非アクティビティ期間、および前記１つまたは複数の非アクティビティ期間の前記第２の非アクティビティ期間は、１つまたは複数の周波数キャリアに該当するもののうちの前記第１の周波数キャリア上の該当データフロー量、および前記１つまたは複数の周波数キャリアに該当するもののうちの前記第２の周波数キャリア上の該当データフロー量に基づいて増加または減少する、Ｃ１３に記載の方法。
[Ｃ１７]
第１の不連続受信サイクルのアウェイク期間中、１つまたは複数の周波数キャリアの各々が監視され、第２の不連続受信サイクルの前記アウェイク期間中、ただ１つの周波数キャリアが監視される、Ｃ１３に記載の方法。
[Ｃ１８]
前記１つまたは複数の非アクティビティ期間のうちの第１の非アクティビティ期間は前記１つまたは複数の非アクティビティ期間のうちの第２の非アクティビティ期間の倍数である、Ｃ１３に記載の方法。
[Ｃ１９]
１つまたは複数の周波数キャリアに該当するもののは非アンカーキャリアである、Ｃ１３に記載の方法。
[Ｃ２０]
複数の周波数キャリアのうちの１つ上での連続受信を提供するためにプロセッサを使用することをさらに備え、前記複数の周波数キャリアのうちの前記１つはアンカーキャリアに対応する、Ｃ１３に記載の方法。
[Ｃ２１]
１つまたは複数の非アクティビティ期間にそれぞれ対応する１つまたは複数の不連続受信サイクルを与え、前記１つまたは複数の不連続受信サイクルの該当アウェイク期間中、１つまたは複数の周波数キャリアに該当するものがデータ受信のために監視されるようにするコードを備えるコンピュータ可読媒体を備えるコンピュータプログラム製品。
[Ｃ２２]
前記１つまたは複数の不連続受信サイクルは第１の不連続受信サイクルおよび第２の不連続受信サイクルを備え、前記１つまたは複数の非アクティビティ期間は前記第１の非アクティビティ期間および第２の非アクティビティ期間を備え、前記第１の非アクティビティ期間は前記第２の非アクティビティ期間よりも短い、Ｃ２１に記載のコンピュータプログラム製品。
[Ｃ２３]
前記１つまたは複数の不連続受信サイクルは第１の不連続受信サイクルを備え、前記第１の不連続受信サイクルのアウェイク期間中、１つまたは複数の周波数キャリアの各々が監視される、Ｃ２１に記載のコンピュータプログラム製品。
[Ｃ２４]
前記１つまたは複数の非アクティビティ期間のうちの第１の非アクティビティ期間が前記複数の周波数キャリアに該当するもののうちの第１の周波数キャリアに関連し、前記１つまたは複数の非アクティビティ期間のうちの第２の非アクティビティ期間は前記複数の周波数キャリアに該当するもののうちの第２の周波数キャリアに関連し、
前記１つまたは複数の非アクティビティ期間のうちの前記第１の非アクティビティ期間は前記１つまたは複数の非アクティビティ期間のうちの第２の非アクティビティ期間の倍数であり、
前記１つまたは複数の非アクティビティ期間のうちの前記第１の非アクティビティ期間、および前記１つまたは複数の非アクティビティ期間の前記第２の非アクティビティ期間の各々は、１つまたは複数の周波数キャリアに該当するもののうちの前記第１の周波数キャリア上の該当データフロー量、および１つまたは複数の周波数キャリアに該当するもののうちの前記第２の周波数キャリア上の該当データフロー量に基づいて増加または減少する、Ｃ２１に記載のコンピュータプログラム製品。
[Ｃ２５]
第１の不連続受信サイクルのアウェイク期間中、１つまたは複数の周波数キャリアの各々が監視され、第２の不連続受信サイクルの前記アウェイク期間中、ただ１つの周波数キャリアが監視される、Ｃ２１に記載のコンピュータプログラム製品。
[Ｃ２６]
前記１つまたは複数の非アクティビティ期間のうちの第１の非アクティビティ期間は前記１つまたは複数の非アクティビティ期間のうちの第２の非アクティビティ期間の倍数である、Ｃ２１に記載のコンピュータプログラム製品。
[Ｃ２７]
１つまたは複数の周波数キャリアに該当するものは非アンカーキャリアである、Ｃ２１に記載のコンピュータプログラム製品。
[Ｃ２８]
複数の周波数キャリアのうちの１つ上での連続受信を提供するためのコードをさらに備え、前記複数の周波数キャリアのうちの前記１つはアンカーキャリアに対応する、Ｃ２１に記載のコンピュータプログラム製品。
[Ｃ２９]
不連続受信を容易にする方法であって、
第１の非アクティビティ期間に応答して、第１の不連続受信サイクルが与えられ、マルチキャリアワイヤレスシステムの複数の周波数キャリアのうちの第１の１つまたは複数の周波数キャリアが、前記第１の不連続受信サイクルのアウェイク期間中、データを受信するために監視される、第１の状態で動作することと、
第２の非アクティビティ期間に応答して、第２の不連続受信サイクルが与えられ、前記マルチキャリアワイヤレスシステムの前記複数の周波数キャリアのうちの第２の１つまたは複数の周波数キャリアが、前記第２の不連続受信サイクルのアウェイク期間中、データを受信するために監視される、第２の状態で動作することと、
第３の非アクティビティ期間に応答して、第３の不連続受信サイクルが与えられ、前記マルチキャリアワイヤレスシステムの前記複数の周波数キャリアのうちの第３の１つまたは複数の周波数キャリアが、前記第３の不連続受信サイクルのアウェイク期間中、データを受信するために監視される、第３の状態で動作することと、
を備える方法。
[Ｃ３０]
前記第１の非アクティビティ期間は前記第２の非アクティビティ期間よりも短く、前記第２の非アクティビティ期間は前記第３の非アクティビティ期間よりも短い、Ｃ２９に記載の方法。
[Ｃ３１]
前記第１の不連続受信サイクルは前記第２の不連続受信サイクルよりも短く、前記第２の不連続受信サイクルは前記第３の不連続受信サイクルよりも短い、Ｃ３０に記載の方法。
[Ｃ３２]
第１の非アクティビティ期間に応答して、第１の不連続受信サイクルが与えられ、マルチキャリアワイヤレスシステムの複数の周波数キャリアのうちの第１の１つまたは複数の周波数キャリアが、前記第１の不連続受信サイクルのアウェイク期間中、データを受信するために監視される、第１の状態で動作するためのコードと、
第２の非アクティビティ期間に応答して、第２の不連続受信サイクルが与えられ、前記マルチキャリアワイヤレスシステムの前記複数の周波数キャリアのうちの第２の１つまたは複数の周波数キャリアが、前記第２の不連続受信サイクルのアウェイク期間中、データを受信するために監視される、第２の状態で動作するためのコードと、
第３の非アクティビティ期間に応答して、第３の不連続受信サイクルが与えられ、前記マルチキャリアワイヤレスシステムの前記複数の周波数キャリアのうちの第３の１つまたは複数の周波数キャリアが、前記第３の不連続受信サイクルのアウェイク期間中、データを受信するために監視される、第３の状態で動作するためのコードと、
を備えるコンピュータ可読媒体を備えるコンピュータプログラム製品。
[Ｃ３３]
前記第１の非アクティビティ期間は前記第２の非アクティビティ期間よりも短く、前記第２の非アクティビティ期間は前記第３の非アクティビティ期間よりも短い、Ｃ３２に記載のコンピュータプログラム製品。
[Ｃ３４]
前記第１の不連続受信サイクルは前記第２の不連続受信サイクルよりも短く、前記第２の不連続受信サイクルは前記第３の不連続受信サイクルよりも短い、Ｃ３３のコンピュータプログラム製品。
[Ｃ３５]
１つまたは複数の周波数キャリア上のデータを受信し、不連続受信構成情報を受信する通信ユニットと、
前記データを受信するための１つまたは複数の周波数キャリアを選択する周波数キャリア選択ユニットと、
装置のアウェイク期間およびスリープ期間を制御するアウェイクスリープ期間制御ユニットと、
前記装置の非アクティビティ期間を評価する非アクティビティ期間評価ユニットと、
受信された不連続受信構成情報を記憶するメモリとを備えて、前記１つまたは複数の周波数キャリアが選択され、前記非アクティビティ期間が受信された不連続受信構成情報に基づいて評価される、不連続受信制御ユニットを備える装置。
[Ｃ３６]
前記不連続受信構成情報は、非アクティビティ期間と、前記通信ユニットで前記データを受信するための対応する１つまたは複数の周波数キャリアとを示す情報を含む、Ｃ３５に記載の装置。
[Ｃ３７]
前記通信ユニットは、前記データおよび前記不連続受信構成情報を受信するために基地局に通信可能に結合されたユーザ機器である、Ｃ３５に記載の装置。
[Ｃ３８]
不連続受信を実行する手段を備える装置であって、
前記不連続受信を実行する手段は、
１つまたは複数の周波数キャリア上のデータを受信し不連続続受信構成情報を受信するためのものである、コンテンツを受信する手段と、
前記データを受信するための１つまたは複数の周波数キャリアを選択する手段と、
前記装置のアウェイク期間およびスリープ期間を制御する手段と、
前記装置の非アクティビティ期間を評価する手段と、
受信された不連続受信構成情報を記憶する手段とを備え、前記１つまたは複数の周波数キャリアが選択され、前記非アクティビティ期間が受信された不連続受信構成情報に基づいて評価される、装置。
[Ｃ３９]
前記不連続受信構成情報は、非アクティビティ期間と、コンテンツを受信する前記手段で前記データを受信するための対応する１つまたは複数の周波数キャリアとを示す情報を含む、Ｃ３８に記載の装置。
[Ｃ４０]
コンテンツを受信する前記手段は、前記データを受信し前記不連続受信構成情報を受信するために基地局に通信可能に結合されたユーザ機器である、Ｃ３８に記載の装置。
[Ｃ４１]
複数の時間および周波数パラメータに基づいて複数の不連続受信レベルのうちの少なくとも１つに対応する不連続受信制御情報を生成し、生成された不連続受信制御情報を出力するように構成される制御ユニットと、
データのマルチキャリア受信を実行可能なユーザ機器とを備え、
前記ユーザ機器は前記制御ユニットに通信可能に結合され、出力された不連続受信制御情報を受信し、前記ユーザ機器が前記複数の不連続受信レベルのうちの１つに従ってマルチキャリア受信を実行するように構成される１つまたは複数の周波数キャリア上で不連続受信を実行するように構成される、システム。
[Ｃ４２]
前記制御ユニットが基地局である、Ｃ４１に記載のシステム。
[Ｃ４３]
前記ユーザ機器は、前記ユーザ機器が不連続受信を実行する時間間隔中に、選択された周波数キャリア上で連続受信を実行するようにさらに構成される、Ｃ４１に記載のシステム。
[Ｃ４４]
前記選択された周波数キャリアはアンカーキャリアである、Ｃ４３に記載のシステム。
[Ｃ４５]
複数の時間および周波数パラメータに基づいて複数の不連続受信レベルに対応する不連続受信制御情報を生成する手段と、
生成された不連続受信制御情報を出力する手段と、
データのマルチキャリア受信を実行可能な通信する手段とを備え、
通信する前記手段は、不連続受信制御情報を生成する前記手段に通信可能に結合され、出力された不連続受信制御情報を受信し、通信する前記手段が前記複数の不連続受信レベルのうちの１つに従ってマルチキャリア受信を実行するように構成される１つまたは複数の周波数キャリア上で不連続受信を実行するように構成される、システム。
[Ｃ４６]
不連続受信制御情報を生成する前記手段は基地局である、Ｃ４５に記載のシステム。
[Ｃ４７]
通信する前記手段は、通信する前記手段が不連続受信を実行する時間間隔中に、選択された周波数キャリア上で連続受信を実行するようにさらに構成される、Ｃ４５に記載のシステム。
[Ｃ４８]
前記選択された周波数キャリアはアンカーキャリアである、Ｃ４７に記載のシステム。
[Ｃ４９]
第１の装置で、複数の時間および周波数パラメータに基づいて複数の不連続受信レベルのうちの少なくとも１つに対応する不連続受信制御情報を生成することと、
生成された不連続受信制御情報を出力することと、
データのマルチキャリア受信を実行可能な第２の装置で、出力された不連続受信制御情報を受信することと、
前記第２の装置が前記複数の不連続受信レベルのうちの１つに従ってマルチキャリア受信を実行するように構成される１つまたは複数の周波数キャリア上で不連続受信を実行することとを備える方法。
【外国語明細書】
2014131303000001.pdf